(57)【要約】【課題】流体送り装置に関し、ファンに付着する塵埃等の清掃を行なうためのファン清掃機能を備えた流体送り装置を提供する。【解決手段】流体送り装置のファンケーシング部にファンに付着する塵埃を除去するための可動式のファン清掃装置が設置されている。【選択図】図１
2007071210.tif 000002
【特許請求の範囲】
【請求項１】
ファンおよび前記ファンを駆動する駆動モータを有する送風機を備える流体送り装置であって、前記ファンの塵埃を除去するためのファン清掃装置を備えたことを特徴とする流体送り装置。
【発明の詳細な説明】
【技術分野】
【０００１】
本発明は、駆動モータにより駆動するファンを有する流体送り装置、およびその流体送り装置を備えた空気調和機、空気清浄機、除湿機、加湿機、暖房機、換気装置、冷却装置、および、熱交換システムに関するものである。
【背景技術】
【０００２】
従来の流体送り装置の一例として、一般的な空気調和機およびその室内機について説明する。従来の壁掛け型空気調和機の室内機１の側面から見た断面を、図７４に示す。ファンケーシング２とフロントパネル３とによって限界された通風路４中には吸込グリル５に対向するように熱交換器６が配設されている。この熱交換器６の上流側にはエアフィルタ７が、下流側には貫流ファン８が配設されている。
【０００３】
熱交換器６の下方にはドレインパン９が配設されている。フロントパネル３の下部に設けられた主吹出し口１０には横ルーバ１１ａ，１１ｂおよび縦ルーバ１２が配設されている。
【０００４】
空気調和機１の運転時、貫流ファン８が回転し、熱交換器６には図示しない室外ユニットからの冷媒が循環する。これにより、室内空気が吸込グリル５から通風路４内に吸入され、エアフィルタ７を流過する際、室内空気中に含まれる塵埃がエアフィルタ７により除去される。室内空気は、熱交換器６を流過する過程で冷媒と熱交換して冷却または加熱され、貫流ファン８に吸込まれて付勢された後、縦ルーバ１２および横ルーバ１１ａ，１１ｂによって吹出し方向を規制されて主吹出し口１０から室内に吹出される。
【０００５】
上記従来の空気調和機の室内機においては、エアフィルタを通過した室内空気中の微小な塵埃は、貫流ファン８に付着し蓄積する場合がある。この場合、貫流ファン８の回転バランスが劣化し、騒音の原因になる。さらに、貫流ファン８による送風量が減少するとともに、塵埃蓄積の重量によりファン駆動トルクが増加し、空気調和機の省エネルギー性が著しく損なわれるという問題が挙げられる。
【０００６】
また、貫流ファン８に蓄積した塵埃にカビ等が発生する場合があり、不衛生であるだけでなく、人体に悪影響を及ぼす可能性があるという問題も挙げられる。
【０００７】
そこで、塵埃を除去し、カビなどの発生を防ぐには、流体送り装置を分解し、貫流ファン８を定期的清掃すればよいが、清掃に労力が必要となるだけでなく、分解時に貫流ファン８の回転バランスが悪くなり、騒音が著しく上昇するという問題が生じてしまう。
【０００８】
また、従来の空気調和機の室内機には一般的に熱交換器近傍もしくは熱交換器に接触した状態で該熱交換器温度を感知するためのサーミスタが設置されており、該サーミスタが熱交換器温度の異常な低下および上昇を感知した場合には、コンプレッサの冷媒吐出量を減少させるなどの吐出量調節を行なえる構成となっている。
【０００９】
上記サーミスタが設置されている従来の空気調和機の貫流ファンに塵埃が蓄積し風量が著しく低下した場合、冷房運転時および暖房運転時において以下に示す問題が生じる。
【００１０】
冷房運転の場合風量が低下し、それに伴い熱交換器の熱交換量が低下し、冷媒は十分な熱を吸収できないため、熱交換器の温度は通常時に比べ低下する。上記サーミスタは、熱交換器の温度低下を感知し、コンプレッサの冷媒吐出量を減少させ、すなわち冷凍能力を
低下させることにより、上記の温度低下を回復させる。その場合、設定温度までの到達時間が長くなるか、設定温度への到達が不可能になる可能性もあり、冷房の快適性が著しく損なわれるという問題があった。
【００１１】
暖房運転の場合風量が低下し、それに伴い熱交換器の熱交換量が低下し、冷媒は十分な熱を放出できないため、熱交換器の温度は通常時に比べ上昇する。上記サーミスタは、熱交換器の温度上昇を感知し、コンプレッサの冷媒吐出量を減少させ、すなわち暖房能力を低下させることにより、上記の温度上昇を回復させる。その場合、設定温度までの到達時間が長くなるか、設定温度への到達が不可能になる可能性もあり、暖房の快適性が著しく損なわれるという問題があった。
【００１２】
さらに、従来の空気調和機であって、サーミスタが何らかの原因で破損しているか、初期状態から設置されていない従来の空気調和機の貫流ファンに塵埃が蓄積し風量が著しく低下した場合には、暖房運転時および冷房運転時において以下に示す問題が生じる。
【００１３】
冷房運転時風量が低下し、それに伴い熱交換器の熱交換量が低下し、冷媒は十分な熱を吸収できないため、熱交換器の温度は通常時に比べ低下する。運転が継続した場合、上記の温度低下のため熱交換器への結露が増加し、圧力損失が大きくなるため、さらに風量が低下する。そのため、さらに熱交換器の温度が低下し、結露水が凍結し、さらなる圧力損失および風量低下を招く。さらに運転が継続した場合、結露水の凍結で形成された氷が成長する。その際、熱交換器からせり出して成長した氷の一部が溶け、水滴が貫流ファンに滴下した場合には、水が主吹出口から吹出される。また、上記結露水の凍結で形成された氷が室内機の構造体の隙間で成長した場合には、氷が構造体を押上げるなどの現象が生じ、構造体に不具合が生じたり、構造体に割れが生じる場合もある。さらに、熱交換器温度が大幅に低下すれば、それに伴い空気調和機の室内機の本体ケーシングにも結露が生じ、その場合、結露水が床に滴下する。
【００１４】
以上のように、ユーザに水が吹きかかったり、ユーザの部屋を水浸しにしてしまったり、空気調和機の室内機を破損してしまったりという、ユーザの財産に被害を与えてしまうような大きな問題に発展する可能性もある。
【００１５】
暖房運転時風量が低下し、それに伴い熱交換器の熱交換量が低下し、冷媒は十分な熱を放出できないため、冷媒の圧力波通常時に比べ上昇する。運転が継続した場合、冷媒圧力の上昇のため、圧縮器に大きな負担がかかり、圧縮器温度が上昇し、圧縮器が焼付くか、もしくは、冷媒圧力の上昇のため、伝熱管の溶接部分などの部分的に圧力が弱くなっている部位から冷媒が漏れるか、最悪の場合、伝熱管が破裂するといった問題に発展する危険性がある。
【００１６】
また、空気清浄機においては、ファンに塵埃が大量に蓄積し、大量にファンの風量が低下した場合には、空気清浄能力が低下し、すなわち、タバコの煙や埃、ダニの死骸や花粉などのアレルゲン等の除去能力が低下するため、ユーザの利便性が大きく損なわれるだけでなく、人体に悪影響を及ぼす可能性がある。
【００１７】
また、除湿機においては、ファンに塵埃が大量に蓄積し、大幅にファンの風量が低下した場合には、除湿能力が低下し、ユーザの利便性が大きく損なわれるだけでなく、空気調和機の室内機に生じる問題と同様の問題が生じる可能性がある。
【００１８】
また、加湿器においては、ファンに塵埃が大量に蓄積し、大幅にファンの風量が低下した場合には、加湿能力が低下し、ユーザの利便性が大きく損なわれるという問題があった。また、ファンに蓄積した塵埃が何らかの原因で大きく剥がれ、それがファンの送風によ
り発熱皿もしくは加熱体近傍に運ばれた場合、剥がれた塵埃が発火するという可能性もあり、安全装置が何らかの原因で正常に働かないような場合には、加湿器本体が発火し、最悪の場合には火事になるといった危険性もある。なお、塵埃が何らかの原因で大きく剥がれる場合としては、たとえば、所定の質量以上になった塵埃が堆積した場所に遠心力が加わって塵埃が送風機に吸着している力よりも遠心力による力が大きくなったときに剥がれることを意味する。
【００１９】
また、暖房機としてのファンヒーターにおいては、ファンに蓄積した塵埃が何らの原因で大きく剥がれた場合、剥がれた塵埃はファンの送風により燃焼室に運ばれ、この燃焼室にて燃焼される。その後、塵埃は灰となって主吹出口から排出され、ユーザに灰が降りかかるか、部屋が灰で汚れるといった問題があった。さらに、ファンに塵埃が大量に蓄積し、大量にファンの風量が低下した場合には、快適温度までの到達時間が長くなるか、快適温度への到達が不可能になる可能性もあり、暖房の快適性が著しく損なわれるという問題があった。
【００２０】
さらに、ファンに塵埃が大量に蓄積し、大幅にファンの風量が低下した場合には、燃焼室の温度が上昇する可能性もあり、安全装置が何らかの原因で正常に働かないような場合には、ファンヒーター本体が発火し、最悪の場合には火事になるといった危険性もある。
【００２１】
また、換気装置としての床下換気扇においては、ファンに塵埃が大量に蓄積し、大幅にファンの風量が低下した場合には、換気能力が低下し、すなわち、家屋の床下に溜まった、湿った空気を屋外に排出する能力が低下するため、シロアリやダニによる被害から家屋を守ることができなくなるといった問題があった。
【００２２】
また、冷却装置としてのＣＰＵ冷却装置においては、ファンに塵埃が大量に蓄積し、大幅にファンの風量が低下した場合、もしくはファンに蓄積した塵埃が何らかの原因で大きく剥がれ、それがファンの送風によりヒートシンク部に運ばれ、ヒートシンク部に詰まった場合には、ＣＰＵの冷却能力が低下し、それに伴いＣＰＵの湿度が上昇し、ＣＰＵが熱負荷に耐えられず誤動作したり、破損したりするといった問題があった。また、ＣＰＵの温度が異常に上昇した場合には、このＣＰＵを装備した機器の内部やケーシングの温度も上昇するため、この機器を構成する他の部品を破損したり、ユーザに火傷を負わせたりするといった危険性もあった。
【００２３】
また、熱交換システムとしてのラジエーターにおいては、ファンに塵埃が大量に蓄積し、大幅にファンの風量が低下した場合、もしくはファンに蓄積した塵埃が何らかの原因で大きく剥がれ、それがファンの送風によりコア内部に運ばれ、詰まった場合には、ラジエーターの熱交換能力が低下し、このラジエーターを備えたシステム全体の能力が低下するといった問題があった。
【発明の開示】
【発明が解決しようとする課題】
【００２４】
本発明の目的は、上記このようなファンを有する流体送り装置に生じ得る問題点を解決するためになされたものであり、流体送り装置を分解することなく簡単にファンの清掃を行なうことのできる、メンテナンス性および利便性が大きく改善された流体送り装置を提供するものである。
【００２５】
また、本発明の他の目的は、そのような流体送り装置を備えた空気調和機、空気清浄機、除湿機、加湿機、暖房機、換気装置、冷却装置、および、熱交換システムを提供することにある。
【課題を解決するための手段】
【００２６】
この発明に基いた流体送り装置においては、ファン、および上記ファンを駆動する駆動モータを有する送風機を備える流体送り装置であって、上記ファンの塵埃を除去するためのファン清掃装置を備えている。
【００２７】
このように、ファン清掃装置を備えることにより、流体送り装置に備えられたファンの清掃を、流体送り装置を分解することなく簡単に行なうことができるため、メンテナンス性および利便性を大きく向上させることが可能になる。
【００２８】
また、上記発明において好ましくは、上記ファン清掃装置は、上記ファンに接触させて上記ファンの塵埃を除去するための板状部材を有する。また、上記発明において好ましくは、上記ファン清掃装置は、上記ファンに接触させて上記ファンの塵埃を除去するためのブラシ状部材を有する。また、上記発明において好ましくは、上記ファン清掃装置は、高圧および／または高速噴流を噴射してファンの塵埃を除去するためのノズルを有する。また、上記発明において好ましくは、上記ファン清掃装置は、上記案内板に設置されている。
【００２９】
また、上記発明において好ましくは、上記ファン清掃装置は、上記舌部に設置されている。また、上記発明において好ましくは、上記ファン清掃装置は、上記ファンケーシングに設置されている。また、上記発明において好ましくは、上記ファン清掃装置が、上記通風路に設置されている。
【００３０】
このように、ファン清掃装置の形状および配置位置を適宜選択することにより、効率良く、ファンに蓄積した塵埃を除去することが可能になる。
【００３１】
また、上記発明において好ましくは、上記ファン清掃装置は、遠隔操作により動作を開始できる。これにより、ユーザによる流体送り装置の操作性の向上を図ることが可能になる。
【００３２】
また、上記発明において好ましくは、上記流体送り装置の運転時間を積算する第１運転時間積算手段と、上記第１運転時間積算手段によって所定の運転時間が積算される毎に、上記ファン清掃装置の運転時期を警告する第１警告手段とを有する。また、上記発明において好ましくは、上記ファン清掃装置は、上記ファンへの塵埃の蓄積量を検知する第１検知手段と、上記第１検知手段によって所定の塵埃の蓄積量を検知する毎に、上記ファン清掃装置の運転時期を警告する第２警告手段とを有する。また、上記発明において好ましくは、上記ファン清掃装置は、上記流体送り装置の運転時間を積算する第２運転時間積算手段と、上記第２運転時間積算手段によって所定の運転時間が積算される毎に、一定時間の間それまでのモードから変更して清掃装置を作動させる第１運転モード変更手段とを有する。また、上記発明において好ましくは、上記ファン清掃装置は、上記ファンへの塵埃の蓄積量を検知する第２検知手段と、上記第２検知手段によって所定の塵埃の蓄積量を検知する毎に、一定時間の間それまでのモードから変更して清掃装置を作動させる第２運転モード変更手段とを有する。
【００３３】
これらの構成を採用することにより、塵埃がファンに蓄積し、ファンの回転バランスを劣化させ、騒音が増大するという問題や、塵埃のファンへの蓄積による送風量減少や、塵埃蓄積の重量によるファン駆動トルクの増大などによる、流体送り装置の省エネ性が著しく損なわれるという問題も解消される。
【００３４】
また、ファンに蓄積した塵埃にカビなどが発生した場合においても、簡単に清掃することができるため、衛生面においても大きなメリットがある。
【００３５】
また、塵埃のファンへの蓄積量等を検知できる手段や、ユーザに対する清掃時期到来の警告を行なえる手段を設けた場合には、清掃時期の判断をユーザ自身に任せることなく自動的に判断できるため、清掃を忘れるといった不都合もなくなる。
【００３６】
さらに、塵埃のファンへの蓄積量等を検知できる手段と、その結果により自動的に清掃運転を行なうことができる運転モード変更手段を設けた場合には、流体送り装置の清掃という煩わしい問題からユーザを解放することが可能になる。
【００３７】
また、上記発明において好ましくは、上記主吹出し口に、エアフィルタで形成されたルーバが設置される。また、上記発明において好ましくは、当該流体送り装置は、塵埃吹出し口をさらに有し、上記ファン清掃装置による上記ファン清掃時に、上記塵埃吹出し口から塵埃を吐出す構成が採用されている。また、上記発明において好ましくは、上記塵埃吹出し口に、エアフィルタが設置される。また、上記発明において好ましくは、上記塵埃吹出し口に、エアフィルタを備えた集塵箱が設置される。また、上記発明において好ましくは、上記集塵箱は、上記流体送り装置から着脱可能である。また、上記発明において好ましくは、上記集塵箱は、遠隔操作により上記流体送り装置から着脱可能である。
【００３８】
これらの構成を採用することにより、ユーザによる流体送り装置のさらなる操作性の向上を図ることが可能になる。
【００３９】
また、上記発明において好ましくは、上記塵埃吹出し口に設置されたエアフィルタの集塵の蓄積量を検知する第３検知手段と、上記第３検知手段によって所定の塵埃の蓄積量を検知する毎に、上記塵埃吹出し口に設置された上記エアフィルタの清掃時を警告する第３警告手段とを備える。この構成を採用することにより、清掃時期の判断をユーザ自身に任せることなく自動的に判断できるため、清掃を忘れるといった不都合をなくすことが可能になる。
【００４０】
また、上記発明における流体送り装置は、空気調和機、空気清浄機、除湿機、加湿機、暖房機、換気装置、冷却装置、および、熱交換システムに適用される。これにより、各種流体送り装置において、メンテナンス性、利便性、および省エネ性の向上を図ることが可能になる。また、衛生面の向上、清掃時期の判断の最適化、流体送り装置の清掃からの解放を実現することが可能になる。
【発明の効果】
【００４１】
本発明に基づいた流体送り装置においては、各種流体送り装置に備えられたファンの清掃を、ファン清掃装置を用いて、流体送り装置を分解することなく簡単に行なうことができるため、メンテナンス性および利便性が大きく向上する。
【００４２】
また、塵埃がファンに蓄積し、ファンの回転バランスを劣化させ、騒音が増大するという問題や、塵埃のファンへの蓄積による送風量減少や、塵埃蓄積の重量によるファン駆動トルクの増大などによる、流体送り装置の省エネ性が著しく損なわれるという問題も解消される。
【００４３】
また、ファンに蓄積した塵埃にカビなどが発生した場合においても、簡単に清掃することができるため、衛生面においても大きなメリットがある。
【００４４】
また、塵埃のファンへの蓄積量等を検知できる手段や、ユーザに対する清掃時期到来の警告を行なえる手段を設けた場合には、清掃時期の判断をユーザ自身に任せることなく自動的に判断できるため、清掃を忘れるといった不都合もなくなる。
【００４５】
さらに、塵埃のファンへの蓄積量等を検知できる手段と、その結果により自動的に清掃運転を行なうことができる運転モード変更手段を設けた場合には、流体送り装置の清掃という煩わしい問題からユーザを解放することができる。
【００４６】
また、吐出量調節を備える空気調和機の室内機に本発明を適用した場合には、冷房運転時における設定温度までの到達時間の遅延の回避、および冷房の快適性能の低下回避を実現することが可能になる。同様に、暖房運転時における設定温度までの到達時間の遅延の回避、および暖房の快適性能の低下回避を実現することが可能になる。
【００４７】
さらに、空気調和機のサーミスタが何らかの原因で破損した場合においても、冷房運転時における熱交換器への結露の付着を防止することが可能になり、また、暖房運転時における圧縮器の焼付き、伝熱管の溶接部分の破損等を防止することが可能になる。
【００４８】
また、空気清浄機に本発明を適用した場合には、空気清浄能力を低下させることがないため、アレルゲン等を確実に除去しユーザの利便性を損なうことがない。
【００４９】
また、除湿機に本発明を適用した場合には、除湿能力が低下させることなく、ユーザの利便性を損なうことがない。
【００５０】
また、加湿器に本発明を適用した場合には、加湿能力を低下させることなく、また、剥がれた塵埃が発火するという危険性もないため、加湿器の信頼性の向上を図ることが可能になる。
【００５１】
また、暖房機に本発明を適用した場合には、剥がれた塵埃が発火するという危険性もないため、暖房機の信頼性の向上を図ることが可能になる。また、快適温度までの到達時間の遅延の防止が図られ、暖房の快適性が損なわれることがない。
【００５２】
また、換気装置に本発明を適用した場合には、換気能力を低下させることなくし、たとえば床下換気装置においては、家屋の床下に溜まった、湿った空気を屋外に確実に排出することが可能になるまた、冷却装置に本発明を適用した場合には、たとえばＣＰＵ冷却装置においては、ＣＰＵの冷却能力を維持することが可能になり、ＣＰＵの破損、このＣＰＵを装備した機器の内部やケーシングの温度上昇の防止を図ることが可能になる。
【００５３】
また、熱交換システムに本発明を適用した場合には、たとえばラジエーターにおいては、ラジエーターの熱交換能力が低下することを防止することが可能になる。
【発明を実施するための最良の形態】
【００５４】
以下、本発明に基づいた実施の形態について、図を参照しながら説明する。なお、以下に示す各実施の形態において基本的構造は、図７４において説明した空気調和機と同一であるため、各図中において、図７４に示す空気調和機と同一または相当部分には同一の符号を付すものとする。
【００５５】
（実施の形態１）
以下、本発明に基づいた実施の形態１について説明する。図１は、本実施の形態における壁掛け型空気調和機における室内機１Ａの側面から見た断面図である。ファンケーシング２には、図１および図２に示すようにファン清掃装置２１ａが設置されており、空気調和機の室内機１Ａの通常運転時にはファンケーシング２と重なるか、または、ファンケーシング２に埋込まれ、ファンケーシング２の一部をなして、貫流ファン８による空気の流れを妨げない形状をしている。
【００５６】
リモコン操作によりユーザから清掃運転開始の指示を与えられた場合、図示しないモータにより図１および図２に示す矢印の方向にファン清掃装置２１ａは稼働し、ファン清掃モード時には貫流ファン８にファン清掃部２２ａが接触する。その後、貫流ファン８が低速で回転し、ファン清掃部２２ａは貫流ファン８に蓄積した塵埃を除去する。
【００５７】
図３および図４に示すように、ファン清掃部２２ａはブラシ状に構成されている。なお、一般的な貫流ファン８は、翼８ａとディスク８ｂとからなり、翼８ａの外径よりもディスク８ｂの外径の方が大きいが、本実施の形態に示すようにファン清掃部２２ａを構成すれば、貫流ファン８にスキュー角が設定されている場合や翼８ａの間隔が不等ピッチに設定されている場合においても好適に対応することができる。
【００５８】
なお、図５および図６に示すように、ファン清掃装置２１ｂにラック＆ピニオン機構を用いたスライド式に形成し、図７および図８に示す動作により貫流ファン８にファン清掃部２２ａを接触させてもよい。この場合、ケーシング２に貫流ファン８の軸方向に平行に長孔を設ける必要があり、ケーシング２の強度確保に注意が必要である。
【００５９】
なお、通常運転と清掃運転との切換操作は、遠隔操作であるリモコン操作、手動による切換スイッチの操作により実現される。また、音声認識技術を用いた操作、インターネット技術を用いて他の場所からの遠隔的な操作、さらには、携帯電話等の携帯情報端末から無線技術を用いた遠隔的な操作の採用が可能である。なお、該切換が、別の手法によりなされた場合でも、本発明の範囲内に含まれると解釈される。
【００６０】
（作用・効果）
以上、本実施の形態における室内調和機によれば、室内調和機に備えられたファン清掃装置により、室内調和機を分解することなく簡単に行なうことができるため、室内調和機のメンテナンス性および利便性を大きく向上させることが可能になる。また、塵埃がファンに蓄積し、ファンの回転バランスを劣化させ、騒音が増大するという問題や、塵埃のファンへの蓄積による送風量減少や、塵埃蓄積の重量によるファン駆動トルクの増大などによる、流体送り装置の省エネ性が著しく損なわれるという問題を解消することが可能になる。
【００６１】
また、ファンに蓄積した塵埃にカビなどが発生した場合においても、簡単に清掃することができるため、衛生面においても大きなメリットがある。
【００６２】
（実施の形態２）
本発明に基づいた実施の形態２について説明する。図９は、本実施の形態における壁掛け型空気調和機における室内機１Ｂの側面から見た断面図である。流体送り装置の案内板に相当するリアガイダ１３には、図９および図１０に示すようにファン清掃装置２１ｃが設置されている。空気調和機の室内機１Ｂの通常運転時にはリアガイダ１３の一部をなし、貫流ファン８による空気の流れを妨げない形状をなしている。
【００６３】
ユーザの音声による清掃運転開始の指示を、音声認識技術を用いて認識し、図示しないモータにより図９および図１０に示す矢印の方向にファン清掃装置２１ｃは稼働する。ファン清掃モード時には貫流ファン８にファン清掃部２２ｂが接触する。その後、貫流ファン８が低速で回転し、ファン清掃部２２ｂは貫流ファン８に蓄積した塵埃を除去する。
【００６４】
このファン清掃部２２ｂは図１１に示すような形状になっており、固形部材である柔軟なゴム系の材質で構成されている。なお、一般的な貫流ファン８は、翼８ａとディスク８ｂからなり、翼８ａの外径よりもディスク８ｂの外径の方が大きいため、図１１および図
１２に示すように、ファン清掃部２２ｂは、貫流ファン８の形状に合うように、ディスク８ｂと当接する部位に凹部２２１が形成された形状にすることが望ましい。なお、ファン清掃部２２ｂの材質は、樹脂でも金属でもよいが、貫流ファン８の翼８ａを傷つけない材質にするよう注意が必要である。
【００６５】
（作用・効果）
以上、本実施の形態における室内調和機によっても、上記各実施の形態と同様の作用効果を得ることができる。
【００６６】
（実施の形態３）
次に、本発明に基づいた実施の形態３について説明する。図１３は、本実施の形態における壁掛け型空気調和機おける室内機１Ｃの側面から見た断面図である。流体送り装置の舌部に相当するスタビライザ１４には、図１３および図１４に示すようにファン清掃装置２１ｄが設置されている。空気調和機の室内機１Ｃの通常運転時にはスタビライザ１４の一部をなし、貫流ファン８による空気の流れを妨げない形状を有している。
【００６７】
リモコン操作によりユーザから清掃運転開始の指示を与えられた場合、図示しないモータにより、図１３および図１４に示す矢印の方向にファン清掃装置２１ｄは稼働し、ファン清掃モード時には貫流ファン８にファン清掃部２２ａが接触する。他の構成は、上記実施の形態１と同様である。
【００６８】
なお、図１５および図１６に示すように、ファン清掃装置２１ｅをラック＆ピニオン機構を用いたスライド式に形成し、図１７および図１８に示す動作により、貫流ファン８にファン清掃部２２ａを接触させてもかまわない。
【００６９】
（作用・効果）
以上、本実施の形態における室内調和機によっても、上記各実施の形態と同様の作用効果を得ることができる。
【００７０】
（実施の形態４）
次に、本発明に基づいた実施の形態４について説明する。図１９は、本実施の形態における壁掛け型空気調和機における室内機１Ｄの側面から見た断面図である。熱交換器６と貫流ファン８との間に形成される通風路４には、図１９および図２０に示すように、ファン清掃装置２１ｆが設置されている。空気調和機の室内機１ｄの通常運転時には、貫流ファン８による空気の流れを妨げない形状をなしている。
【００７１】
ファン清掃装置２１ｆには、図２１および図２２に示すノズル状のファン清掃部２２ｃが備えられている。ファン清掃部２２ｃのノズルは、ファン清掃装置２１ｆを経て、図２３に示すように、室外機１５に設けられた清掃用空気圧縮機２３と圧縮空気通風管２４を介して連通している。この圧縮空気通風管２４は、室外機１５と室内機１Ｄとを繋ぐ伝熱管１６、ドレンホース１７、電源コード１８とともに束ねられている。
【００７２】
リモコン操作によりユーザから清掃運転開始の指示を与えられた場合、図示しないモータにより図１９および図２０に示す矢印の方向にファン清掃装置２１ｆは稼働し、ファン清掃部２２ｃが貫流ファン８に対し、わずかな空間を隔てて固定され、清掃用空気圧縮機２３により高圧に圧縮された空気を清掃部２２ｃのノズルから噴流として噴射し、貫流ファン８に蓄積した塵埃を除去する。
【００７３】
ファン清掃部２２ｃの設置角度によっては、貫流ファン８は噴流の勢いを受けて逆方向に高速回転する場合がある。その場合は、図示しないファンモータに逆起電力が発生し、
図示しない電装部品を破壊する恐れがあるため、注意が必要である。この場合、貫流ファン８が噴流から受ける力と同等のトルクをモータにかければ不都合は回避できる。また、貫流ファン８を低速で正方向に回転させておいてもよい。
【００７４】
なお、図２４および図２５に示すように、ファン清掃装置２１ｇをスライド式に形成し、図に示す動作により、ファン清掃部２２ｃを貫流ファン８に近づける構成を採用することも可能である。
【００７５】
（作用・効果）
以上、本実施の形態における室内調和機によっても、上記各実施の形態と同様の作用効果を得ることができる。
【００７６】
（実施の形態５）
次に、本発明に基づいた実施の形態５について説明する。図２６は、本実施の形態における壁掛け型空気調和機における室内機１Ｅの側面から見た断面図である。ファンケーシング２にはファン清掃装置２１ｈおよび実施の形態１と同様のファン清掃部２２ａ（図３および図４参照）が設置されている。ファン清掃装置２１ｈは、流体送り装置の運転時間を積算する運転時間積算手段３１を備えており、前回の清掃時からの経過時間（ｔ）を積算できる。また、このファン清掃装置２１ｈは、清掃開始時期をユーザに警告できる警告手段３２を備えており、上記運転時間積算手段３１によって所定の運転時間ｔ0が積算される毎に、上記ファン清掃装置２１ｈの運転時期をユーザに警告する。その他の構成は従来例と同様である。
【００７７】
図２７は、空気調和機の室内機１Ｅの運転時間積算手段３１および警告手段３２の制御動作を示すフローチャートである。ステップＳ１において、運転時間積算手段３１は、空気調和機の室内機１Ｅの内部に設けられたタイマ装置３６から与えられる時間データに基づいて前回の清掃時からの経過時間（ｔ）を積算する。ステップＳ２において、前回の清掃時からの経過時間（ｔ）が境界経過時間（ｔ0）より大きいか判断され、前回の清掃時からの経過時間ｔが境界経過時間ｔ0より大きい場合には、ステップＳ３に移行し、前回の清掃時からの経過時間ｔが境界経過時間ｔ0以下の場合にはステップＳ２に移行する。ステップＳ３において、警告手段３２は、空気調和機の室内機１Ｅのフロントパネル３に設けられたＬＥＤ３７を発光させることにより、上記ファン清掃装置２１ｈの運転時期をユーザに警告する。
【００７８】
なお、上記警告手段３２により複数回の警告を行なう場合には、図２８に示すフローチャートに従えばよい。すなわち、ステップＳ１１において運転時間積算手段３１は、空気調和機の室内機１Ｅの内部に設けられたタイマ装置３６から与えられる時間データに基づいて前回の清掃時からの経過時間ｔを積算する。ステップＳ１２において、前回の清掃時からの経過時間ｔが境界経過時間ｔ0より大きいか判断され、前回の清掃時からの経過時間ｔが境界経過時間ｔ0より大きい場合には、ステップＳ１３に移行し、前回清掃清掃時からの経過時間ｔが境界経過時間ｔ0以下の場合にはステップＳ１２に移行する。
【００７９】
ステップＳ１３において、警告手段３２は、空気調和機の室内機１Ｅのフロントパネル３に設けられたＬＥＤ３７を発光させることにより、ファン清掃装置２１ｈの運転時期をユーザに警告する。ステップＳ１４において、運転時間積算手段３１は、上記タイマ装置３６から与えられる時間データに基づいて前回の警告時からの時間ｔWを積算する。ステップＳ１５において、ユーザからの清掃運転開始の指示の有無が判断され、ユーザからの清掃運転開始の指示があった場合には終了し、ユーザからの清掃運転開始の指示がなかった場合にはステップＳ１６に移行する。ステップＳ１６において、前回警告時からの時間ｔWは境界経過時間ｔ1より大きいか判断され、上記警告時からの時間ｔWが境界経過時間
ｔ1より大きい場合には、ステップＳ１３に移行し、警告手段３２は、空気調和機の室内機１Ｅのフロントパネル３に設けられたＬＥＤ３７を発光させることにより、上記ファン清掃装置２１ｈの運転時間をユーザに再度警告する。前回警告時からの時間ｔWが境界経過時間ｔ1以下の場合にはステップＳ１４に移行する。すなわち、ユーザからの清掃運転開始の指示があるまで警告手段３２は空気調和機の室内機１Ｅのフロントパネル３に設けられたＬＥＤ３７を発光させることにより、上記ファン清掃装置２１ｈの運転時期をユーザに警告し続ける。
【００８０】
なお、前回の清掃時からの経過時間ｔは、単に前回の清掃時からの経過時間でもよく、前回の清掃時からの総運転時間でもよく、また、その両方をサンプリングし、その各々に対応する２種類の境界経過時間ｔ0を設けてもよく、さらには前回の清掃時からの経過時間と前回の清掃時からの運転時間を清掃に好適な重みづけの後加減乗除することで与えられる複合経過時間ｔを用いてもよい。なお、前回の警告時からの時間ｔWおよび境界経過時間ｔ1に関しても、同様の設定を行なってもよい。
【００８１】
なお、警告手段３２は、フロントパネル３の領域または図示しないリモコン部に設けられた液晶画面部に文字表示することにより清掃運転時期をユーザに警告してもよく、また、音声合成技術を用いて音声により清掃運転時期をユーザに警告してもよく、さらには、ブザー等の警告音を発することで上記ファン清掃運転時期をユーザに警告してもよい。
【００８２】
（作用・効果）
以上、本実施の形態における室内調和機によっても、上記各実施の形態と同様の作用効果を得ることができる。さらに、前回の清掃時からの経過時間等を積算できる手段や、ユーザに対する清掃時期到来の警告を行なえる手段を設けることにより、清掃時期の判断をユーザ自身に任せることなく自動的に判断できるため、清掃を忘れるといった不都合をなくすことが可能になる。
【００８３】
（実施の形態６）
本発明に基づいた実施の形態６について説明する。図２９は、本実施の形態における壁掛け型空気調和機における室内機１Ｆの側面から見た断面図である。ファンケーシング２にはファン清掃装置２１ｉおよび実施の形態１と同様のファン清掃部２２ａ（図３および図４参照）が設置されている。このファン清掃装置２１ｉは、貫流ファン８への塵埃の蓄積量を検知する検知手段３３を備えており、塵埃の蓄積による貫流ファン８の回転のアンバランス量Δξを検知できる。また、このファン清掃装置２１ｉは清掃開始時期をユーザに警告できる警告手段３２を備えており、上記検知手段３３によって所定の塵埃の蓄積量を検知するために、上記ファン清掃装置２１ｉの運転時期をユーザに警告する。その他の構成は従来の技術における構成と同様である。
【００８４】
図３０は、空気調和機における室内機１Ｆの検知手段３３および警告手段３２の制御動作を示すフローチャートである。ステップＳ２１において検知手段３３は、貫流ファン８の軸受部に設けられたアンバランス量計測装置３８により検知されたアンバランス量と、貫流ファン８のアンバランス量の初期値から、アンバランス量の増加Δξを演算する。ステップＳ２２において、アンバランス量の増加Δξが境界アンバランス量ξ0より大きいか判断され、アンバランス量の増加Δξが境界アンバランス量ξ0より大きい場合には、ステップＳ２３に移行し、アンバランス量の増加Δξが境界アンバランス量ξ0以下の場合にはステップＳ２２に移行する。ステップＳ２３において、警告手段３２は、空気調和機の室内機１Ｆのフロントパネル３に設けられたＬＥＤ３７を発光させることにより、上記ファン清掃装置２１ｉの運転時期をユーザに警告する。
【００８５】
なお、上記警告手段３２により複数回の警告を行なう場合には図３１に示すように、図
２９の構成にさらにタイマ装置３６を設け、図３２に示すフローチャートに従えばよい。
【００８６】
すなわち、ステップＳ３１において検知手段３３は、貫流ファン８の軸受部に設けられたアンバランス量計測装置３８により検知されたアンバランス量と、貫流ファン８のアンバランス量の初期値から、アンバランス量の増加Δξを演算する。ステップＳ３２において、アンバランス量の増加Δξが境界アンバランス量ξ0より大きいか判断され、アンバランス量の増加Δξが境界アンバランス量ξ0より大きい場合には、ステップＳ３３に移行し、アンバランス量の増加Δξが境界アンバランス量ξ0以下の場合にはステップＳ３２に移行する。
【００８７】
ステップＳ３３において、警告手段３２は、空気調和機の室内機１Ｆのフロントパネル３に設けられたＬＥＤ３７を発光させることにより、上記ファン清掃装置２１ｉの運転時期をユーザに警告する。ステップＳ３４において、検知手段３３は、空気調和機の室内機１Ｆの内部に設けられたタイマ装置３６から与えられる時間データに基づいて前回の警告時からの時間ｔWを積算する。ステップＳ３５において、ユーザからの清掃運転開始の指示の有無が判断され、ユーザからの清掃運転開始の指示があった場合には終了し、ユーザからの清掃運転開始の指示がなかった場合にはステップＳ３６に移行する。
【００８８】
ステップＳ３６において、前回の警告時からの時間ｔWが境界経過時間ｔ1より大きいか判断され、前回の警告時からの時間ｔWが境界経過時間ｔ1より大きい場合には、ステップＳ３３に移行し、警告手段３２は、空気調和機の室内機１Ｆのフロントパネル３に設けられたＬＥＤ３７を発光させることにより、上記ファン清掃装置２１ｉの運転時期をユーザに再度警告する。前回の警告時からの時間ｔWが境界経過時間ｔ1以下の場合にはステップＳ３４に移行する。すなわちユーザからの清掃運転開始の指示があるまで警告手段３２は空気調和機の室内機１Ｆのフロントパネル３に設けられたＬＥＤ３７を発光させることにより、上記ファン清掃装置２１ｉの運転時期をユーザに警告し続ける。
【００８９】
なお、上記検知手段３３において、貫流ファン８への塵埃の蓄積量を検知する際に、貫流ファン８の回転アンバランス量の増加ではなく、貫流ファン８の重量の増加で検知を行なってもよい。この場合には、図３３に示すように、図２９の構成において、アンバランス量計測装置３８の代わりに重量計３９を用い、図３４に示すフローチャートに従えばよい。
【００９０】
すなわち、ステップＳ４１において検知手段３３は、貫流ファン８の軸受部に設けられた重量計３９により検知された重量と、貫流ファン８の重量の初期値から、貫流ファン８の重量の増加ΔＷを演算する。ステップＳ４２において、重量の増加ΔＷが境界重量Ｗ0より大きいか判断され、重量の増加ΔＷが境界重量Ｗ0より大きい場合には、ステップＳ４３に移行し、重量の増加ΔＷが境界重量Ｗ0以下の場合にはステップＳ４２に移行する。ステップＳ４３において、警告手段３２は、空気調和機の室内機１Ｇのフロントパネル３に設けられたＬＥＤ３７を発光させることにより、上記ファン清掃装置２１ｊの運転時期をユーザに警告する。
【００９１】
なお、上記警告手段３２により複数回の警告を行なう場合には、図３５に示すように、図３３の構成にさらにタイマ装置３６を設け、図３６に示すフローチャートに従えばよい。
【００９２】
すなわち、ステップＳ５１において検知手段３３は、貫流ファン８の軸受部に設けられた重量計３９により検知された重量と、貫流ファン８の重量の初期値から、貫流ファン８の重量の増加ΔＷを演算する。ステップＳ５２において、重量の増加ΔＷが境界重量Ｗ0より大きいか判断され、重量の増加ΔＷが境界重量Ｗ0より大きい場合には、ステップＳ
５３に移行し、重量の増加ΔＷが境界重量Ｗ0以下の場合にはステップＳ５２に移行する。
【００９３】
ステップＳ５３において、警告手段３２は、空気調和機の室内機１Ｇのフロントパネル３に設けられたＬＥＤ３７を発光させることにより、上記ファン清掃装置２１ｊの運転時期をユーザに警告する。ステップＳ５４において、検知手段３３は、空気調和機の室内機１Ｇの内部に設けられたタイマ装置３６から与えられる時間データに基づいて前回の警告時からの時間ｔWを積算する。ステップＳ５５において、ユーザからの清掃運転開始の指示の有無が判断され、ユーザからの清掃運転開始の指示があった場合には終了し、ユーザからの清掃運転開始の指示がなかった場合にはステップＳ５６に移行する。
【００９４】
ステップＳ５６において、前回の警告時からの時間ｔWが境界経過時間ｔ1より大きいか判断され、前回の警告時からの時間ｔWが境界経過時間ｔ1より大きい場合には、ステップＳ５３に移行し、警告手段３２は空気調和機の室内機１Ｇのフロントパネル３に設けられたＬＥＤ３７を発光させることにより、上記ファン清掃装置２１ｊの運転時期をユーザに再度警告する。前回の警告時からの時間ｔWが境界経過時間ｔ1以下の場合にはステップＳ３４に移行する。すなわち、ユーザからの清掃運転開始の指示があるまで警告手段３２は空気調和機の室内機１Ｇのフロントパネル３に設けられたＬＥＤ３７を発光させることにより、上記ファン清掃装置２１ｊの運転時期をユーザに警告し続ける。
【００９５】
なお、上記警告手段３２は、フロントパネル３または図示しないリモコン部に設けられた液晶画面部に文字表示することにより清掃運転時期をユーザに警告してもよく、また音声合成技術を用いて音声により清掃運転時期をユーザに警告してもよく、さらには、ブザー等の警告音を発することで上記ファン清掃運転時期をユーザに警告してもよい。
【００９６】
なお、検知手段３３としてアンバランス量計測装置３８と重量計３９とを併せ持たせれば、貫流ファン８に対し極めて均一に塵埃が蓄積した場合、すなわち、アンバランス量Δξは小さいが重量増加ΔＷが大きいような場合にも対応可能となり、確実に清掃可能となる。
【００９７】
（作用・効果）
以上、本実施の形態における室内調和機によっても、上記実施の形態５と同様の作用効果を得ることができる。
【００９８】
（実施の形態７）
次に、本発明に基づいた実施の形態７について説明する。図３７は本実施の形態における壁掛け型空気調和機における室内機１Ｈの側面から見た断面図である。ファンケーシング２にはファン清掃装置２１ｋおよび実施の形態１と同様のファン清掃部２２ａ（図３および図４参照）が設置されている。このファン清掃装置２１ｋは、流体送り装置の運転時間を積算する運転時間積算手段３１を備えており、前回の清掃時からの経過時間ｔを積算できる。
【００９９】
また、このファン清掃装置２１ｋは、一定時間の間それまでのモードから変更して清掃装置を作動させる運転モード変更手段３４を備えており、上記運転時間積算手段３１によって所定の運転時間ｔ2が積算される毎に、一定時間ｔ3の間それまでのモードから変更してユーザの指示なしに自動的に清掃運転を行なうことができる。その他の構成は従来の構成と同様である。
【０１００】
図３８は、空気調和機における室内機１Ｈの運転時間積算手段３１および運転モード変更手段３４の制御動作を示すフローチャートである。ステップＳ１０１において運転時間
積算手段３１は、空気調和機の室内機１Ｈの内部に設けられたタイマ装置３６から与えられる時間データに基づいて前回の清掃時からの経過時間ｔを積算する。ステップＳ１０２において、前回の清掃時からの経過時間ｔが境界経過時間ｔ2より大きいか判断され、前回清掃時からの経過時間ｔが境界経過時間ｔ2より大きい場合には、ステップＳ１０３に移行し、前回の清掃時からの経過時間ｔが境界経過時間ｔ2以下の場合にはステップＳ１０２に移行する。
【０１０１】
ステップＳ１０３において、運転モード変更手段３４は、それまでの運転モードを一旦中止し、ユーザの指示なしに自動的にファン清掃装置２１ｋおよびファン清掃部２２ａを作動させ、清掃運転を開始する。
【０１０２】
ステップＳ１０４において、運転時間積算手段３１は、上記タイマ装置３６から与えられる時間データに基づいて清掃運転の継続時間ｔrを積算する。ステップＳ１０５において、清掃運転の継続時間ｔrが境界経過時間ｔ3より大きいか判断され、清掃運転の継続時間ｔrが境界経過時間ｔ3より大きい場合には、ステップＳ１０６に移行し、清掃運転の継続時間ｔrが境界経過時間ｔ3以下の場合にはステップＳ１０５に移行する。ステップＳ１０６において、運転モード変更手段３４は、清掃運転を終了し、清掃運転を行なう前の運転状態に運転モードを変更する。
【０１０３】
なお、清掃運転終了時にユーザに対し清掃運転終了の告知を行ないたい場合には、図３９に示すように、図３７の構成にさらに告知手段３５を設け、図４０に示すフローチャートに従えばよい。
【０１０４】
すなわちステップＳ１１１において、運転時間積算手段３１は、空気調和機の室内機１Ｉの内部に設けられたタイマ装置３６から与えられる時間データに基づいて前回の清掃時からの経過時間ｔを積算する。ステップＳ１１２において、前回清掃時からの経過時間ｔが境界経過時間ｔ2より大きいか判断され、前回清掃時からの経過時間ｔが境界経過時間ｔ2より大きい場合には、ステップＳ１１３に移行し、前回清掃時からの経過時間ｔが境界経過時間ｔ2以下の場合にはステップＳ１１２に移行する。ステップＳ１１３において、運転モード変更手段３４は、それまでの運転モードを一旦中止し、ユーザの指示なしに自動的にファン清掃装置２１１およびファン清掃部２２ａを作動させ、清掃運転を開始する。
【０１０５】
ステップＳ１１４において、運転時間積算手段３１は、上記タイマ装置３６から与えられる時間データに基づいて、清掃運転の継続時間ｔrを積算する。ステップＳ１１５において、清掃運転の継続時間ｔrが境界経過時間ｔ3より大きいか判断され、清掃運転の継続時間ｔrが境界経過時間ｔ3より大きい場合には、ステップＳ１１６に移行し、清掃運転の継続時間ｔrが境界経過時間ｔ3以下の場合にはステップＳ１１５に移行する。ステップＳ１１６において、運転モード変更手段３４は、清掃運転を終了し、清掃運転を行なう前の運転状態に運転モードを変更する。ステップＳ１１７において、告知手段３５が、空気調和機の室内機１Ｉのフロントパネル３に設けられたＬＥＤ３７を発光させることにより、清掃運転の終了をユーザに告知する。
【０１０６】
さらに、清掃運転の実行時期を複数回にわたりユーザに警告し、一定時間の間ユーザからの清掃運転開始の指示がない場合には自動的に清掃運転を開始し、その終了時にユーザに対し清掃運転終了の告知を行ないたい場合には、図４１に示すように、図３９の構成にさらに警告手段３２を設け、図４２に示すフローチャートに従えばよい。
【０１０７】
すなわち、ステップＳ２０１において運転時間積算手段３１は、空気調和機の室内機１Ｊの内部に設けられたタイマ装置３６から与えられる時間データに基づいて前回の清掃時
からの経過時間ｔを積算する。ステップＳ２０２において、前回清掃時からの経過時間ｔが境界経過時間ｔ０より大きいか判断され、前回清掃時からの経過時間ｔが境界経過時間ｔ０より大きい場合には、ステップＳ２０３に移行し、前回清掃時からの経過時間ｔが境界経過時間ｔ０以下の場合にはステップＳ２０２に移行する。ステップＳ２０３において、警告手段３２は、空気調和機の室内機１Ｊのフロントパネル３に設けられたＬＥＤ３７を発光させることにより、上記ファン清掃装置２１ｍの運転時期をユーザに警告する。
【０１０８】
ステップＳ２０４において、運転時間積算手段３１は、上記タイマ装置３６から与えられる時間データに基づいて前回の警告時からの時間ｔWを積算する。ステップＳ２０５において、ユーザからの清掃運転開始の指示の有無が判断され、ユーザからの清掃運転開始の指示があった場合はステップＳ２０７に移行し、ユーザからの清掃運転開始の指示がなかった場合はステップＳ２０６に移行する。
【０１０９】
ステップＳ２０６において、前回の清掃時からの経過時間ｔが境界経過時間ｔ2より大きいか、および、前回の警告時からの時間ｔWが境界経過時間ｔ1より大きいかが判断され、前回の清掃時からの経過時間ｔが境界経過時間ｔ2以下で、かつ前回の警告時からの時間ｔWが境界経過時間ｔ1以下の場合にはステップＳ２０４に移行し、前回の清掃時からの経過時間ｔが境界経過時間ｔ2以下で、かつ前回の警告時からの時間ｔWが境界経過時間ｔ１より大きい場合にはステップＳ２０３に移行し、警告手段３２は、空気調和機の室内機１Ｊのフロントパネル３に設けられたＬＥＤ３７を発光させることにより、上記ファン清掃装置２１ｍの運転時期をユーザに再度警告する。
【０１１０】
前回の清掃時からの経過時間ｔが境界経過時間ｔ2より大きい場合にはステップＳ２０７に移行する。ステップＳ２０７において、運転モード変更手段３４は、それまでの運転モードを一旦中止し、ユーザの指示なしに自動的にファン清掃装置２１ｍおよびファン清掃部２２ａを作動させ、清掃運転を開始する。すなわち、ユーザからの清掃運転開始の指示があるまで警告手段３２は空気調和機の室内機１Ｊのフロントパネル３に設けられたＬＥＤ３７を発光させることにより、上記ファン清掃装置２１ｍの運転時期をユーザに警告し続け、それでもユーザからの清掃運転開始の指示がない場合には自動的に清掃運転を開始する。
【０１１１】
ステップＳ２０８において、運転時間積算手段３１は、上記タイマ装置３６から与えられる時間データに基づいて清掃運転の継続時間ｔrを積算する。ステップＳ２０９において、清掃運転の継続時間ｔrが境界経過時間ｔ3より大きいか判断され、清掃運転の継続時間ｔrが境界経過時間ｔ3より大きい場合には、ステップＳ２１０に移行し、清掃運転の継続時間ｔrが境界経過時間ｔ3以下の場合にはステップＳ２０９に移行する。
【０１１２】
ステップＳ２１０において、運転モード変更手段３４は、清掃運転を終了し、清掃運転を行なう前の運転状態に運転モードを変更する。ステップＳ２１１において、告知手段３５は、空気調和機の室内機１Ｊのフロントパネル３に設けられたＬＥＤ３７を発光させることにより、清掃運転の終了をユーザに告知する。なお、警告手段３２と告知手段３５はその働きがほぼ同一であるため、共通化してもよい。
【０１１３】
なお、上記警告手段３２は、フロントパネル３または図示しないリモコン部に設けられた液晶画面部に文字表示することにより清掃運転時期をユーザに警告してもよく、また、音声合成技術を用いて音声により清掃運転時期をユーザに警告してもよく、さらには、ブザーなどの警告音を発することで上記ファン清掃運転時期をユーザに警告してもよい。
【０１１４】
なお、上記の前回の清掃時からの経過時間ｔは、単に前回の清掃時からの経過時間でもよく、前回清掃時からの運転時間でもよく、またその両方をサンプリングし、その各々に
対応する２種類の境界経過時間ｔ0およびｔ2を設けてもよく、さらには、前回の清掃時からの経過時間と前回の清掃時からの運転時間を清掃に好適な重みづけの後加減乗除することで与えられる複合経過時間ｔを設けてもよい。なお、前回警告時からの時間ｔW、清掃運転の経過時間ｔr、境界経過時間ｔ1およびｔ3に関しても、同様の設定を行なってもよい。
【０１１５】
（作用・効果）
以上、本実施の形態における室内調和機によっても、上記実施の形態５および６と同様の作用効果を得ることができる。さらに、前回の清掃時からの経過時間等を積算できる手段と、その結果により自動的に清掃運転を行なうことができる運転モード変更手段を設けることにより、流体送り装置の清掃という煩わしい問題からユーザを解放することが可能になる。
【０１１６】
（実施の形態８）
次に、本発明に基づいた実施の形態８について説明する。図４３は、本実施の形態における壁掛け型空気調和機の室内機１Ｋの側面から見た断面図である。ファンケーシング２にはファン清掃装置２１ｎおよび実施の形態１と同様のファン清掃部２２ａ（図３および図４参照）が設置されている。このファン清掃装置２１ｎは、貫流ファン８への塵埃の蓄積量を検知する検知手段３３を備えており、塵埃の蓄積による貫流ファン８の回転のアンバランス量Δξを検知できる。
【０１１７】
また、このファン清掃装置２１ｎは、それまでのモードから変更して清掃装置を作動させる運転モード変更手段３４を備えており、上記検知手段３３によって所定の塵埃の蓄積量を検知する毎に、それまでのモードから変更してユーザの指示なしに自動的に清掃運転を開始し、貫流ファン８への塵埃の蓄積量が所定の量以下になった時点で清掃運転を終了させることができる。その他の構成は従来の例と同様である。
【０１１８】
図４４は、空気調和機における室内機１Ｋの検知手段３３および運転モード変更手段３４の制御動作を示すフローチャートである。ステップＳ１２１において、検知手段３３は、貫流ファン８の軸受部に設けられたアンバランス量計測装置３８により検知されたアンバランス量と、貫流ファン８のアンバランス量の初期値から、アンバランス量の増加Δξを演算する。ステップＳ１２２において、アンバランス量の増加Δξが境界アンバランス量ξ０より大きいか判断され、アンバランス量の増加Δξが境界アンバランス量ξ０より大きい場合には、ステップＳ１２３に移行し、アンバランス量の増加Δξが境界アンバランス量ξ０以下の場合にはステップＳ１２２に移行する。
【０１１９】
ステップＳ１２３において、運転モード変更手段３４は、それまでの運転モードを一旦中止し、ユーザの指示なしに自動的にファン清掃装置２１ｎおよびファン清掃部２２ａを作動させ、清掃運転を開始する。ステップＳ１２４において検知手段３３は、貫流ファン８の軸受部に設けられたアンバランス量計測装置３８により検知されたアンバランス量と、貫流ファン８のアンバランス量の初期値から、アンバランス量の増加Δξを再度演算する。
【０１２０】
ステップＳ１２５において、アンバランス量の増加Δξが境界アンバランス量ξ１より小さいか判断され、アンバランス量の増加Δξが境界アンバランス量ξ１より小さい場合には、ステップＳ１２６に移行し、アンバランス量の増加Δξが境界アンバランス量ξ１以上の場合にはステップＳ１２４に移行する。ステップＳ１２６において、運転モード変更手段３４は、清掃運転を終了し、清掃運転を行なう前の運転状態に運転モードを変更する。
【０１２１】
なお、清掃運転終了時にユーザに対し清掃運転終了の告知を行ないたい場合には、図４５に示すように、図４３の構成にさらに告知手段３５を設け、図４６に示すフローチャートに従えばよい。
【０１２２】
すなわち、ステップＳ１３１において検知手段３３は、貫流ファン８の軸受部に設けられたアンバランス量計測装置３８により検知されたアンバランス量と、貫流ファン８のアンバランス量の初期値から、アンバランス量の増加Δξを演算する。ステップＳ１３２において、アンバランス量の増加Δξが境界アンバランス量ξ0より大きいか判断され、アンバランス量の増加Δξが境界アンバランス量ξ0より大きい場合には、ステップＳ１３３に移行し、アンバランス量の増加Δξが境界アンバランス量ξ0以下の場合にはステップＳ１３２に移行する。
【０１２３】
ステップＳ１３３において、運転モード変更手段３４は、それまでの運転モードを一旦中止し、ユーザの指示なしに自動的にファン清掃装置２１ｏおよびファン清掃部２２ａを作動させ、清掃運転を開始する。ステップＳ１３４において検知手段３３は、貫流ファン８の軸受部に設けられたアンバランス量計測部３８により検知されたアンバランス量と、貫流ファン８のアンバランス量の初期値から、アンバランス量の増加Δξを再度演算する。
【０１２４】
ステップＳ１３５において、アンバランス量の増加Δξが境界アンバランス量ξ1より小さいかが判断され、アンバランス量の増加Δξが境界アンバランス量ξ1より小さい場合には、ステップＳ１３６に移行し、アンバランス量の増加Δξが境界アンバランス量ξ1以上の場合にはステップＳ１３４に移行する。ステップＳ１３６において、運転モード変更手段３４は、清掃運転を終了し、清掃運転を行なう前の運転状態の運転モードを変更する。ステップＳ１３７において、告知手段３５は、空気調和機の室内機１Ｌのフロントパネル３に設けられたＬＥＤ３７を発光させることにより、清掃運転の終了をユーザに告知する。
【０１２５】
さらに、清掃運転の実行時期を複数回にわたりユーザに警告し、一定時間の間ユーザからの清掃運転開始の指示がない場合には自動的に清掃運転を開始し、その終了時にユーザに対し清掃運転終了の告知を行ないたい場合には、図４７に示すように、図４５の構成にさらに警告手段３２およびタイマ装置３６を設け、図４８に示すフローチャートに従えばよい。
【０１２６】
すなわち、ステップＳ２２１において検知手段３３は、貫流ファン８の軸受部に設けられたアンバランス量計測装置３８により検知されたアンバランス量と、貫流ファン８のアンバランス量の初期値から、アンバランス量の増加Δξを演算する。ステップＳ２２２において、アンバランス量の増加Δξが境界アンバランス量ξ0より大きいか判断され、アンバランス量の増加Δξが境界アンバランス量ξ0より大きい場合には、ステップＳ２２３に移行し、アンバランス量の増加Δξが境界アンバランス量ξ0以下の場合にはステップＳ２２２に移行する。
【０１２７】
ステップＳ２２３において、警告手段３２は、空気調和機の室内機１Ｍのフロントパネル３に設けられたＬＥＤ３７を発光させることにより上記ファン清掃装置２１ｐの運転時間をユーザに警告する。ステップＳ２２４において、検知手段３３は、上記タイマ装置３６から与えられる時間データに基づいて前回警告時からの時間ｔWを積算する。
【０１２８】
ステップＳ２２５において、ユーザからの清掃運転開始の指示の有無が判断され、ユーザからの清掃運転開始の指示があった場合にはステップＳ２２７に移行し、ユーザからの清掃運転開始の指示がなかった場合にはステップＳ２２６に移行する。ステップＳ２２６
において、前回警告時からの時間ｔWと境界経過時間ｔ1およびｔ4（ｔ1＜ｔ4）の比較が行われ、前回警告時からの時間ｔWが境界経過時間ｔ1以下の場合にはステップＳ２２４に移行し、前回警告時からの時間ｔWが境界経過時間ｔ1より大きく、かつ境界経過時間ｔ4以下の場合にはステップＳ２２３に移行し、警告手段３２は、空気調和機の室内機１Ｍのフロントパネル３に設けられたＬＥＤ３７を発光させることにより、上記ファン清掃装置２１ｐの運転時期をユーザに再度警告する。
【０１２９】
前回の警告時からの時間ｔWは境界経過時間ｔ4より大きい場合にはステップＳ２２７に移行する。ステップＳ２２７において、運転モード変更手段３４は、それまでの運転モードを一旦中止し、ユーザの指示なしに自動的にファン清掃装置２１ｐおよびファン清掃部２２ａを作動させ、清掃運転を開始する。すなわち、ユーザからの清掃運転開始の指示があるまで警告手段３２は空気調和機の室内機１Ｍのフロントパネル３に設けられたＬＥＤ３７を発光させることにより、上記ファン清掃装置２１ｐの運転時期をユーザに警告し続け、それでもユーザからの清掃運転開始の指示がない場合には自動的に清掃運転を開始する。
【０１３０】
ステップＳ２２８において検知手段３３は、貫流ファン８の軸受部に設けられたアンバランス量計測装置３８により検知されたアンバランス量と、貫流ファン８のアンバランス量の初期値から、アンバランス量の増加Δξを再度演算する。ステップＳ２２９において、アンバランス量の増加Δξが境界アンバランス量ξ1より小さいか判断され、アンバランス量の増加Δξが境界アンバランス量ξ1より小さい場合には、ステップＳ２３０に移行し、アンバランス量の増加Δξが境界アンバランス量ξ1以上の場合にはステップＳ２２８に移行する。
【０１３１】
ステップＳ２３０において、運転モード変更手段３４は、清掃運転を終了し、清掃運転を行なう前の運転状態に運転モードを変更する。ステップＳ２３１において、告知手段３５は、空気調和機の室内機１Ｍのフロントパネル３に設けられたＬＥＤ３７を発光させることにより、清掃運転の終了をユーザに告知する。
【０１３２】
なお、上記検知手段３３において、貫流ファン８への塵埃の蓄積量を検知する際に、貫流ファン８の回転におけるアンバランス量の増加ではなく、貫流ファン８の重量の増加で検知を行なってもよい。この場合には、図４９に示すように、図４３の構成において、アンバランス量計測装置３８の代わりに重量計３９を用い、図５０に示すフローチャートに従えばよい。
【０１３３】
すなわち、ステップＳ１４１において検知手段３３は、貫流ファン８の軸受部に設けられた重量計３９により検知された重量と、貫流ファン８の重量の初期値から、貫流ファン８の重量の増加ΔＷを演算する。ステップＳ１４２において、重量の増加ΔＷが境界重量Ｗ0より大きいか判断され、重量の増加ΔＷが境界重量Ｗ0より大きい場合には、ステップＳ１４３に移行し、重量の増加ΔＷが境界重量Ｗ0以下の場合にはステップＳ１４２に移行する。ステップＳ１４３において、運転モード変更手段３４は、それまでの運転モードを一旦中止し、ユーザの指示なしに自動的にファン清掃装置２１ｑおよびファン清掃部２２ａを作動させ、清掃運転を開始する。
【０１３４】
ステップＳ１４４において検知手段３３は、貫流ファン８の軸受部に設けられた重量計３９により検知された重量と、貫流ファン８の重量の初期値から、貫流ファン８の重量の増加ΔＷを再度演算する。ステップＳ１４５において、貫流ファン８の重量の増加ΔＷが境界重量Ｗ1より小さいか判断され、重量の増加ΔＷが境界重量Ｗ1より小さい場合には、ステップＳ１４６に移行し、重量の増加ΔＷが境界重量Ｗ1以上の場合にはステップＳ１４４に移行する。ステップＳ１４６において、運転モード変更手段３４は、清掃運転を終
了し、清掃運転を行なう前の運転状態に運転モードを変更する。
【０１３５】
なお、清掃運転終了時にユーザに対し清掃運転終了の告知を行ないたい場合には、図５１に示すように、図４９の構成にさらに告知手段３５を設け、図５２に示すフローチャートに従えばよい。
【０１３６】
すなわちステップＳ１５１において検知手段３３は、貫流ファン８の軸受部に設けられた重量計３９により検知された重量と、貫流ファン８の重量の初期値から、貫流ファン８の重量の増加ΔＷを演算する。ステップＳ１５２において、重量の増加ΔＷが境界重量Ｗ0より大きいか判断され、重量の増加ΔＷが境界重量Ｗ0より大きい場合には、ステップＳ１５３に移行し、重量の増加ΔＷが境界重量Ｗ0以下の場合にはステップＳ１５２に移行する。
【０１３７】
ステップＳ１５３において、運転モード変更手段３４は、それまでの運転モードを一旦中止し、ユーザの指示なしに自動的にファン清掃装置２１ｒおよびファン清掃部２２ａを作動させ、清掃運転を開始する。ステップＳ１５４において検知手段３３は、貫流ファン８の軸受部に設けられた重量計３９により検知された重量と、貫流ファン８の重量の初期値から、貫流ファン８の重量の増加ΔＷを再度演算する。
【０１３８】
ステップＳ１５５において、貫流ファン８の重量の増加ΔＷが境界重量Ｗ1より小さいか判断され、重量の増加ΔＷが境界重量Ｗ1より小さい場合には、ステップＳ１５６に移行し、重量の増加ΔＷが境界重量Ｗ1以上の場合にはステップＳ１５４に移行する。ステップＳ１５６において、運転モード変更手段３４は、清掃運転を終了し、清掃運転を行なう前の運転状態に運転モードを変更する。ステップＳ１５７において、告知手段３５は、空気調和機の室内機１０のフロントパネル３に設けられたＬＥＤ３７を発光させることにより、清掃運転の終了をユーザに告知する。
【０１３９】
さらに、清掃運転の実行時期を数回にわたりユーザに警告し、一定時間の間ユーザからの清掃運転開始の指示がない場合には自動的に清掃運転を開始し、その終了時にユーザに対し清掃運転終了の告知を行ないたい場合には、図５３に示すように図５１の構成にさらに警告手段３２およびタイマ装置３６を設け、図５４に示すフローチャートに従えばよい。
【０１４０】
すなわち、ステップＳ２４１において検知手段３３は、貫流ファン８の軸受部に設けられた重量計３９により検知された重量と、貫流ファン８の重量の初期値から、貫流ファン８の重量の増加ΔＷを演算する。ステップＳ２４２において、重量の増加ΔＷが境界重量Ｗ0より大きいか判断され、重量の増加ΔＷが境界重量Ｗ0より大きい場合には、ステップＳ２４３に移行し、重量の増加ΔＷが境界重量Ｗ0以下の場合にはステップＳ２４２に移行する。
【０１４１】
ステップＳ２４３において、警告手段３２は、空気調和機の室内機１Ｐのフロントパネル３に設けられたＬＥＤ３７を発光させることにより上記ファン清掃装置２１ｓの運転時間をユーザに警告する。ステップＳ２４４において、検知手段３３は、上記タイマ装置３６から与えられる時間データに基づいて前回警告時からの時間ｔWを積算する。
【０１４２】
ステップＳ２４５において、ユーザからの清掃運転開始の指示の有無が判断され、ユーザからの清掃運転開始の指示があった場合にはステップＳ２４７に移行し、ユーザからの清掃運転開始の指示がなかった場合にはステップＳ２４６に移行する。ステップＳ２４６において、前回警告時からの時間ｔWと境界経過時間ｔ1およびｔ4（ｔ1＜ｔ4）の比較が行われ、前回警告時からの時間ｔWが境界経過時間ｔ1以下の場合にはステップＳ２４４に
移行し、前回警告時からの時間ｔWが境界経過時間ｔ1より大きく、かつ境界経過時間ｔ4以下の場合にはステップＳ２４３に移行し、警告手段３２は、空気調和機の室内機１Ｐのフロントパネル３に設けられたＬＥＤ３７を発光させることにより、上記ファン清掃装置２１ｓの運転時期をユーザに再度警告する。
【０１４３】
上記警告時からの時間ｔWは境界経過時間ｔ4より大きい場合にはステップＳ２４７に移行する。ステップＳ２４７において、運転モード変更手段３４は、それまでの運転モードを一旦中止し、ユーザの指示なしに自動的にファン清掃装置２１ｓおよびファン清掃部２２ａを作動させ、清掃運転を開始する。すなわち、ユーザからの清掃運転開始の指示があるまで警告手段３２は空気調和機の室内機１Ｐのフロントパネル３に設けられたＬＥＤ３７を発光させるとともに、上記ファン清掃装置２１ｓの運転時期をユーザに警告し続け、それでもユーザからの清掃運転開始の指示がない場合には自動的に清掃運転を開始する。
【０１４４】
ステップＳ２４８において検知手段３３は、貫流ファン８の軸受部に設けられた重量計３９により検知された重量と、貫流ファン８の重量の初期値から、貫流ファン８の重量の増加ΔＷを再度演算する。ステップＳ２４９において、貫流ファン８の重量の増加ΔＷが境界重量Ｗ1より小さいか判断され、重量の増加ΔＷが境界重量Ｗ1より小さい場合には、ステップＳ２５０に移行し、重量の増加ΔＷが境界重量Ｗ1以上の場合にはステップＳ２４８に移行する。
【０１４５】
ステップＳ２５０において、運転モード変更手段３４は、清掃運転を終了し、清掃運転を行なう前の運転状態に運転モードを変更する。ステップＳ２５１において、告知手段３５は、空気調和機の室内機１Ｐのフロントパネル３に設けられたＬＥＤ３７を発光させることにより、清掃運転の終了をユーザに告知する。なお、警告手段３２および告知手段３５は、その働きはほぼ同一であるため、共通化してもよい。
【０１４６】
なお、上記警告手段３２は、フロントパネル３または図示しないリモコン部に設けられた液晶画面部に文字表示することにより清掃運転時期をユーザに警告してもよく、また、音声合成技術を用いて音声により清掃運転時期をユーザに警告してもよく、さらには、ブザー等の警告音を発することで上記ファン清掃運転時期をユーザに警告してもよい。
【０１４７】
また、上記の前回警告時からの時間ｔWは、単に前回警告時からの経過時間でもよく、前回警告時からの運転時間でもよく、また、その両方をサンプリングし、その各々に対応する２種類の境界経過時間ｔ1およびｔ4を設けてもよく、さらには、前回警告時からの経過時間と前回警告時からの運転時間を清掃に好適な重みづけの後加減乗除することで与えられる複合経過時間ｔWを設けてもよい。
【０１４８】
なお、検知手段３３としてアンバランス量計測装置３８と重量計３９とを併せ持たせれば、貫流ファン８に対し極めて均一に塵埃が蓄積した場合、すなわち、アンバランス量Δξは小さいが重量増加ΔＷが大きいような場合にも対応可能となり、確実に清掃可能となる。
【０１４９】
（作用・効果）
以上、本実施の形態における室内調和機によっても、上記実施の形態５〜７と同様の作用効果を得ることができる。
【０１５０】
（実施の形態９）
次に、本発明に基づいた実施の形態９について説明する。図５５は本実施の形態における壁掛け型空気調和機における室内機１Ｑの側面から見た断面図である。室内機１Ｑは主吹出し口１０の部分に、図５６に示すようなエアフィルタ７ｂで形成された横ルーバフィ
ルタ２５ａおよび２５ｂを備えており、その他の構成は実施の形態１と同様である。
【０１５１】
上記横ルーバフィルタ２５ａおよび２５ｂは、通常運転時においては従来の横ルーバと同等の働きを行なうが、リモコン操作によりユーザから清掃運転開始の指示が与えられた場合、清掃運転を開始する前に上記横ルーバフィルタ２５ａおよび２５ｂは閉じ、室内機１Ｑの主吹出し口１０を遮蔽する。横ルーバフィルタ２５ａおよび２５ｂが主吹出し口１０を遮蔽した後、清掃運転を行なう。
【０１５２】
（作用・効果）
本実施の形態における室内調和機によれば、貫流ファン８から除去した塵埃を室内に放出することなく主吹出し口１０の内側に塵埃をキャッチすることができる。清掃運転の後は横ルーバフィルタ２５ａおよび２５ｂを清掃すればよく、横ルーバフィルタ２５ａおよび２５ｂを取外し可能に構成しておくとさらに利便性が増加する。
【０１５３】
（実施の形態１０）
次に、本発明に基づいた実施の形態１０について説明する。図５７は本実施の形態における壁掛け型空気調和機の室内機１Ｒの側面から見た断面図である。室内機１Ｒは図示しないモータにより開閉可能である開閉部２６がファンケーシング２に備えられており、さらに、その下部にはその吹出し口にエアフィルタ７ｃを備えた塵埃吹出し口２７が備えられた構成となっている。その他の構成は、実施の形態１と同様である。
【０１５４】
開閉部２６は通常運転の際には図５７に示す位置にあるが、リモコン操作によりユーザから清掃運転開始の指示を与えられた場合、清掃運転を開始する前に開閉部２６は図５８に示すように開き、主吹出し口１０を遮蔽する。このとき、貫流ファン８の通風路４は、塵埃吹出し口２７に連通するように形成される。
【０１５５】
（作用・効果）
本実施の形態における室内調和機によれば、清掃運転により除去された塵埃は貫流ファン８から除去された後、貫流ファン８の送風により塵埃吹出し口２７に導かれる。また、塵埃吹出し口２７にはエアフィルタ７ｃが備えられており、貫流ファン８から除去した塵埃を室内に放出してしまうことなく塵埃吹出し口２７の内側においてキャッチすることができる。清掃運転の後はエアフィルタ７ｃを清掃すればよく、このエアフィルタ７ｃを取外し可能に構成しておくことでさらに利便性が増加する。
【０１５６】
（実施の形態１１）
本発明に基づいた実施の形態１１について説明する。図５９は本実施の形態における壁掛け型空気調和機におけるの室内機１Ｓの側面から見た断面図である。室内機１Ｓは図示しないモータにより開閉可能である開閉部２６がファンケーシング２に備えられており、さらに、その下部には塵埃吹出し口２７が備えられている。塵埃吹出し口２７の吹出し部にはエアフィルタ７ｄを備えた集塵箱２８が備えられている。その他の構成は実施の形態１と同様である。
【０１５７】
開閉部２６は通常運転の際には図５９に示す位置にあるが、リモコン操作によりユーザから清掃運転開始の指示を与えられた場合、清掃運転を開始する前に開閉部２６は実施の形態１０と同様に開き、主吹出し口１０を遮蔽する。このとき、貫流ファン８の通風路４は、塵埃吹出し口２７および集塵箱２８に連通するように形成される。すなわち、清掃運転により除去された塵埃は貫流ファン８から除去された後、貫流ファン８の送風により塵埃吹出し口２７を経て集塵箱２８に導かれる。
【０１５８】
また、集塵箱２８にはエアフィルタ７ｄが備えられており、貫流ファン８から除去した
塵埃を室内に放出してしまうことなく集塵箱２８内にキャッチすることができる。さらに、集塵箱２８は図６０〜図６２に示すように着脱可能となっており、ユーザによるリモコン操作により取外しできる。清掃運転の後は集塵箱２８を取外し、集塵箱２８およびエアフィルタ７ｄを洗浄すればよい。
【０１５９】
なお、エアフィルタ７ｄの塵埃の蓄積量を検知する検知手段３３ｂと、検知手段３３ｂによって所定の塵埃の蓄積量を検知する毎に、エアフィルタ７ｄの清掃時期を警告する警告手段３２ｂとを備えておけば、集塵箱２８のエアフィルタ７ｄの清掃時期を容易に把握することができ、さらに利便性が増加する。
【０１６０】
（作用・効果）
本実施の形態における室内調和機によれば、清掃運転により除去された塵埃は、貫流ファン８から除去された後、貫流ファン８の送風により塵埃吹出し口２７を経て集塵箱２８に導かれる。また、集塵箱２８にはエアフィルタ７ｄが備えられており、貫流ファン８から除去した塵埃を室内に放出してしまうことなく集塵箱２８内にキャッチすることができる。さらに、集塵箱２８は図６０〜図６２に示すように着脱可能となっており、ユーザによるリモコン操作により取外しできる。清掃運転の後は集塵箱２８を取外し、集塵箱２８およびエアフィルタ７ｄを洗浄すればよい。
【０１６１】
なお、エアフィルタ７ｄの塵埃の蓄積量を検知する検知手段３３ｂと、検知手段３３ｂによって所定の塵埃の蓄積量を検知する毎に、エアフィルタ７ｄの清掃時期を警告する警告手段３２ｂとを備えておけば、集塵箱２８のエアフィルタ７ｄの清掃時期を容易に把握することができ、さらに利便性が増加する。
【０１６２】
（実施の形態１２）
次に、本発明に基づいた実施の形態１２について説明する。図６３は本実施の形態における空気清浄機５１の側面から見た断面図である。空気清浄機５１は、清掃機ケーシング５２と、空気中の塵埃や細菌類、あるいは、臭気成分などを除去するためのエアフィルタ５３と、このエアフィルタ５３の装着部をその外側から開閉自在に閉管する前面カバー５４とを備えている。
【０１６３】
前面カバー５４には吸込みグリル５５が、また、清掃機ケーシング５２の上面には主吹出し口５６が形成されており、清掃機ケーシング５２内に設けられたシロッコファン５７はファン駆動モータ５８により回転し、それに伴い、吸込みグリル５５から吸込まれた空気は、エアフィルタ５３を通過しながら除塵および脱臭されたうえでシロッコファン５７およびスクロールケーシング５９を通過し、主吹出し口５６から吹出される。
【０１６４】
またスクロールケーシング５９には、図６３および図６４に示すようにファン清掃装置２１ｔが設置されており、空気清浄機５１の通常運転時にはスクロールケーシング５９と重なるか、または、スクロールケーシング５９に埋込まれ、スクロールケーシング５９の一部をなし、シロッコファン５７による空気の流れを妨げない形状をしている。
【０１６５】
ユーザから清掃運転開始の指示を与えられた場合、図示しないモータにより図６４に示す矢印の方向にファン清掃装置２１ｔが稼働し、ファン清掃モード時にはシロッコファン５７にファン清掃部２２ｄが接触する。その後シロッコファン５７は低速で回転し、ファン清掃部２２ｄはシロッコファン５７に蓄積した塵埃を除去する。なおこのファン清掃部２２ｄは図６３に示すようにブラシ状に構成されている。
【０１６６】
（作用・効果）
以上、本実施の形態における空気清浄機によれば、空気清浄機に備えられたファン清掃
装置により、空気清浄機を分解することなく簡単に行なうことができるため、空気清浄機のメンテナンス性および利便性を大きく向上させることが可能になる。また、塵埃がファンに蓄積し、ファンの回転バランスを劣化させ、騒音が増大するという問題や、塵埃のファンへの蓄積による送風量減少や、塵埃蓄積の重量によるファン駆動トルクの増大などによる、空気清浄機の省エネ性が著しく損なわれるという問題を解消することが可能になる。
【０１６７】
また、ファンに蓄積した塵埃にカビなどが発生した場合においても、簡単に清掃することができるため、衛生面においても大きなメリットがある。
【０１６８】
（実施の形態１３）
次に、本発明に基づいた実施の形態１３について説明する。図６５は本実施の形態における除湿機６１の側面から見た断面図である。除湿機６１は、除湿機ケーシング６２の内部前面に、シロッコファン６３、ファン駆動モータ６４、スクロールケーシング６５および圧縮機６６を備えており、除湿運転開始に伴い、圧縮機６６とシロッコファン６３が駆動され、冷媒の流れおよび風の流れが発生する。シロッコファン６３の駆動により、除湿機ケーシング６２背面の吸込み口６７から吸込まれた空気は、空気吸引側に配置された蒸発器６８を通過する間に冷却される。このとき空気中に含まれる水蒸気が凝縮し、水滴となって下方のドレンパン６９に滴下し、ドレンパン６９からドレイン貯蔵タンク７０に流下する。
【０１６９】
一方、蒸発器６８にて除湿された空気は、凝縮器７１にて所定温度に加熱された後、シロッコファン６３およびスクロールケーシング６５を通過し、主吹出し口７２から吹出される。また、スクロールケーシング６５には、図６５および図６６に示すようにファン清掃装置２１ｕが設置されており、除湿機６１の通常運転時にはスクロールケーシング６５と重なるか、またはスクロールケーシング６５に埋込まれ、スクロールケーシング６５の一部をなすに等しく、シロッコファン６３の流れを妨げない形状を有している。ユーザから清掃運転開始の指示を与えられた場合、図示しないモータにより図６６に示す矢印の方向にファン清掃装置２１ｕは稼働し、ファン清掃モード時にはシロッコファン６３にファン清掃部２２ｅが接触する。その後、シロッコファン６３が低速で回転し、ファン清掃部２２ｅはシロッコファン６３に蓄積された塵埃を除去する。なお、このファン清掃部２２ｅは、図６５に示すようにブラシ状に構成されている。
【０１７０】
（作用・効果）
以上、本実施の形態における除湿機によれば、除湿機に備えられたファン清掃装置により、除湿機を分解することなく簡単に行なうことができるため、除湿機のメンテナンス性および利便性を大きく向上させることが可能になる。また、塵埃がファンに蓄積し、ファンの回転バランスを劣化させ、騒音が増大するという問題や、塵埃のファンへの蓄積による送風量減少や、塵埃蓄積の重量によるファン駆動トルクの増大などによる、除湿機の省エネ性が著しく損なわれるという問題を解消することが可能になる。
【０１７１】
また、ファンに蓄積した塵埃にカビなどが発生した場合においても、簡単に清掃することができるため、衛生面においても大きなメリットがある。
【０１７２】
（実施の形態１４）
次に、本発明に基づいた実施の形態１４について説明する。図６７は本実施の形態における加湿機の側面から見た断面図である。加湿機８１は、加湿機ケーシング８２の内部に、蒸発皿８３、加熱体８４、タンク水受け部８５、ゴムホース８６、給水タンク８７、および蒸気案内筒８８を備えており、給水タンク８７の水はタンク水受け部８５に送られ、ゴムホース８６を通って蒸発皿８３に送られ、蒸発皿８３内は所定水位に保たれる。この
状態において、加湿機の運転を開始すると、蒸発皿８３内の水は、加熱体８４によって加熱される。そして、沸騰、蒸発して、蒸気案内筒８８を通って蒸気放出口８９より蒸気が放出されて、室内が加湿される。
【０１７３】
一方、加湿機ケーシング８２の内部には、蒸気案内筒８８に冷却風を送り込み、蒸気を冷却するための貫流ファン９０およびファンケーシング９１が備えられており、室内空気は貫流ファン９０の駆動により吸込み口９２から吸込まれ、貫流ファン９０およびファンケーシング９１を経て、冷却風取入れ口９２から蒸気案内筒８８内に流入し、蒸気と混合して蒸気の吹出し温度を下げて蒸気放出口８９から放出される。
【０１７４】
また、蒸気ファンケーシング９１には図６７に示すようにファン清掃装置２１ｖが設置されており、加湿機８１の通常運転時にはファンケーシング９１と重なるが、またはファンケーシング９１に埋込まれ、ファンケーシング９１の一部をなし、貫流ファン９０の流れを妨げない形状をなしている。ユーザから清掃運転開始の指示を与えられた場合、図示しないモータにより図６７に示すように、ファン清掃装置２１ｖは稼働し、ファン清掃モード時には、貫流ファン９０にファン清掃部２２ｆが接触する。その後、貫流ファン９０が低速で回転し、ファン清掃部２２ｆは貫流ファン９０に蓄積した塵埃を除去する。なお、このファン清掃部２２ｆはブラシ状に構成されている。
【０１７５】
（作用・効果）
以上、本実施の形態における加湿機によれば、加湿機に備えられたファン清掃装置により、加湿機を分解することなく簡単に行なうことができるため、加湿機のメンテナンス性および利便性を大きく向上させることが可能になる。また、塵埃がファンに蓄積し、ファンの回転バランスを劣化させ、騒音が増大するという問題や、塵埃のファンへの蓄積による送風量減少や、塵埃蓄積の重量によるファン駆動トルクの増大などによる、加湿機の省エネ性が著しく損なわれるという問題を解消することが可能になる。
【０１７６】
また、ファンに蓄積した塵埃にカビなどが発生した場合においても、簡単に清掃することができるため、衛生面においても大きなメリットがある。
【０１７７】
（実施の形態１５）
次に、本発明に基づいた実施の形態１５について説明する。図６８は暖房機の一例として、本実施の形態の分全燃焼方式の石油ファンヒータ１０１の側面から見た断面図である。ファンヒータ１０１は、ファンヒータケーシング１０２内部に図示しない給油タンクと、燃焼室１０３、軸流ファン１０４、ファン駆動モータ１０５、ファンケーシング１０６、送風ダクト１０７、ルーバ１０８を備え、燃焼室１０３内部には図示しない給油タンクから供給された燃料を燃焼するバーナ１０９が備えられている。
【０１７８】
軸流ファン１０４の駆動によりファンヒータケーシング１０２背面から取入れられた室内空気は、燃焼室１０３から出た燃焼排ガスと送風ダクト１０７において混合され、ルーバ１０８を通って温風として主吹出し口１１０から放出される。また、蒸気ファンケーシング１０６には、図６８に示すようにファン清掃装置２１ｗが設置されており、ファンヒータ１０１の通常運転時にはファンケーシング１０６と重なるか、または、ファンケーシング１０６に埋込まれ、ファンケーシング１０６の一部をなし、軸流ファン１０４の流れを妨げない形状を有している。ユーザから清掃運転開始の指示を与えられた場合、図示しないモータにより図６８に示すようにファン清掃装置２１ｗが稼働し、ファン清掃モード時には軸流ファン１０４にファン清掃部２２ｇが接触する。その後、軸流ファン１０４が低速で回転し、ファン清掃部２２ｇは軸流ファン１０４に蓄積した塵埃を除去する。なお、このファン清掃部２２ｇはブラシ状に構成されている。
【０１７９】
（作用・効果）
以上、本実施の形態における石油ファンヒータによれば、石油ファンヒータに備えられたファン清掃装置により、石油ファンヒータを分解することなく簡単に行なうことができるため、石油ファンヒータのメンテナンス性および利便性を大きく向上させることが可能になる。また、塵埃がファンに蓄積し、ファンの回転バランスを劣化させ、騒音が増大するという問題や、塵埃のファンへの蓄積による送風量減少や、塵埃蓄積の重量によるファン駆動トルクの増大などによる、石油ファンヒータの省エネ性が著しく損なわれるという問題を解消することが可能になる。
【０１８０】
また、ファンに蓄積した塵埃にカビなどが発生した場合においても、簡単に清掃することができるため、衛生面においても大きなメリットがある。
【０１８１】
（実施の形態１６）
次に、本発明に基づいた実施の形態１６について説明する。図６９は換気装置の一例として本実施の形態における床下換気扇の側面から見た断面図である。床下換気扇１１１は、換気扇ケーシング１１２内部にシロッコファン１１３、スクロールケーシング１１４、ファン駆動モータ１１５を備えており、図６９に示すように、床下換気口１１６に吸込み口１１７を垂直方向にして挿入され、換気扇ケーシング１１２の上面側に位置する吸込み口１１７と床下換気口１１６の内面１１８との間に形成される通風空間１１９を形成し、前方の側面側に換気扇主吹出し口１２０を形成して配置される。
【０１８２】
床下内１２１に溜まった空気は、シロッコファン１１３の駆動により吸込み口１１７から吸込まれ、シロッコファン１１３、スクロールケーシング１１４を経て換気扇吸出し口１２０から屋外へ排出される。また、スクロールケーシング１１４には、図６９および図７０に示すようにファン清掃装置２１ｘが設置されており、床下換気扇１１１の通常運転時にはスクロールケーシング１１４と重なるか、または、スクロールケーシング１１４に埋込まれ、スクロールケーシング１１４の一部をなし、シロッコファン１１３の流れを妨げない形状を有している。
【０１８３】
ユーザから清掃運転開始の指示が与えられた場合、図示しないモータにより図７０に示すようにファン清掃装置２１ｘは稼働し、ファン清掃モード時にはシロッコファン１１３にファン清掃部２２ｈが接触する。その後、シロッコファン１１３が低速で回転し、ファン清掃部２２ｈはシロッコファン１１３に蓄積した塵埃を除去する。なお、このファン清掃部２２ｈはブラシ状に構成されている。
【０１８４】
（作用・効果）
以上、本実施の形態における床下換気扇によれば、床下換気扇に備えられたファン清掃装置により、床下換気扇を分解することなく簡単に行なうことができるため、床下換気扇のメンテナンス性および利便性を大きく向上させることが可能になる。また、塵埃がファンに蓄積し、ファンの回転バランスを劣化させ、騒音が増大するという問題や、塵埃のファンへの蓄積による送風量減少や、塵埃蓄積の重量によるファン駆動トルクの増大などによる、床下換気扇の省エネ性が著しく損なわれるという問題を解消することが可能になる。
【０１８５】
また、ファンに蓄積した塵埃にカビなどが発生した場合においても、簡単に清掃することができるため、衛生面においても大きなメリットがある。
【０１８６】
（実施の形態１７）
次に、本発明に基づいた実施の形態１７について説明する。図７１は冷却装置の一例として、本実施の形態におけるＣＰＵ冷却装置の側面から見た断面図である。ＣＰＵ冷却装
置１３１は、空気吸込み口１３２となる穴のあいた蓋１３３と底板１３４との間に軸流ファン１３５とファン駆動モータ１３６とを備え、蓋１３３と底板１３４との間の空間には突起状のヒートシンク１３７を送風用空間１３８に確保したうえで多数設けられた構造になっている。軸流ファン１３５の駆動により空気は吸込み口１３２から吸込まれ、ヒートシンク１３７を冷却しながら送風用空間１３８を通過し、ＣＰＵ冷却装置１３１の側面から配置される。ヒートシンク１３７を冷却することにより、底板１３４と接したＣＰＵ１３９は、冷却される。
【０１８７】
また、蓋１３３には図７１および図７２に示すようにファン清掃装置２１ｙが設置されており、ＣＰＵ冷却装置１２１の通常運転時には回転するかスライドするなどして、軸流ファン１３５の吸込み口１３２を塞がない形状を有している。
【０１８８】
ユーザから清掃運転開始の指示を与えられた場合、図示しないモータにより図７１および図７２に示すようにファン清掃装置２１ｙは稼働し、ファン清掃モード時には軸流ファン１３５にファン清掃部２２ｉが接触する。その後、軸流ファン１３５が低速で回転し、ファン清掃部２２ｉは軸流ファン１３５に蓄積した塵埃を除去する。なお、このファン清掃部２２ｉはブラシ状に構成されている。
【０１８９】
（作用・効果）
以上、本実施の形態におけるＣＰＵ冷却装置によれば、ＣＰＵ冷却装置に備えられたファン清掃装置により、ＣＰＵ冷却装置を分解することなく簡単に行なうことができるため、ＣＰＵ冷却装置のメンテナンス性および利便性を大きく向上させることが可能になる。また、塵埃がファンに蓄積し、ファンの回転バランスを劣化させ、騒音が増大するという問題や、塵埃のファンへの蓄積による送風量減少や、塵埃蓄積の重量によるファン駆動トルクの増大などによる、ＣＰＵ冷却装置の省エネ性が著しく損なわれるという問題を解消することが可能になる。
【０１９０】
また、ファンに蓄積した塵埃にカビなどが発生した場合においても、簡単に清掃することができるため、衛生面においても大きなメリットがある。
【０１９１】
（実施の形態１８）
次に、本発明に基づいた実施の形態１８について説明する。図７３は熱交換システムの一例として本実施の形態におけるラジエータの側面から見た断面図である。ラジエータ１４１は、多数のフィンとチューブとからなるコア１４２と、コア１４２の一端に設けられ、それぞれのチューブの足が液密に貫通固定されたタンク１４３と、コア１４２の平面に対向して配置されたファンシュラウド１４４、軸流ファン１４５、および図示しないファン駆動モータとを備えており、軸流ファン１４５の駆動により空気を吸込み、コア１４２のフィンとチューブを冷却して排出される。
【０１９２】
また、ファンシュラウド１４４には、図７３に示すようにファン清掃装置２１ｚが設置されており、ラジエータ１４１の通常運転時にはファンシュラウド１４４と重なるか、または、ファンシュラウド１４４に埋込まれ、ファンシュラウド１４４の一部をなし、軸流ファン１４５の流れを妨げない形状を有している。
【０１９３】
清掃運転開始の指示を与えられた場合、図示しないモータにより、図７３に示すようにファン清掃装置２１ｚは稼働し、ファン清掃モード時には軸流ファン１４５にファン清掃部２２ｊが接触する。その後、軸流ファン１４５が低速で回転し、ファン清掃部２２ｊは軸流ファン１４５に蓄積した塵埃を除去する。なお、このファン清掃部２２ｊはブラシ状に構成されている。
【０１９４】
（作用・効果）
以上、本実施の形態におけるラジエータによれば、ラジエータに備えられたファン清掃装置により、ラジエータを分解することなく簡単に行なうことができるため、ラジエータのメンテナンス性および利便性を大きく向上させることが可能になる。また、塵埃がファンに蓄積し、ファンの回転バランスを劣化させ、騒音が増大するという問題や、塵埃のファンへの蓄積による送風量減少や、塵埃蓄積の重量によるファン駆動トルクの増大などによる、ラジエータの省エネ性が著しく損なわれるという問題を解消することが可能になる。
【０１９５】
また、ファンに蓄積した塵埃にカビなどが発生した場合においても、簡単に清掃することができるため、衛生面においても大きなメリットがある。
【０１９６】
なお、上記各実施の形態はすべての点で例示であって制限的なものではない。本発明の範囲は上記した説明ではなくて特許請求の範囲によって画定され、特許請求の範囲と均等の意味および範囲内でのすべての変更が含まれることが意図される。
【図面の簡単な説明】
【０１９７】
【図１】本発明に基づいた実施の形態１における空気調和機の室内機の側面から見た断面図である。
【図２】実施の形態１における空気調和機の室内機のファン清掃装置の動作説明図である。
【図３】実施の形態１における空気調和機の室内機のファン清掃部の外観図である。
【図４】実施の形態１における空気調和機の室内機のファン清掃部と貫流ファンとの位置関係を示す外観図である。
【図５】実施の形態１における空気調和機の室内機に準ずる他の形態を示した側面から見た断面図である。
【図６】図５に示す空気調和機の室内機のファン清掃装置の第１動作説明図である。
【図７】図５に示す空気調和機の室内機のファン清掃装置の第２動作説明図である。
【図８】図５に示す空気調和機の室内機のファン清掃装置の第３動作説明図である。
【図９】本発明に基づいた実施の形態２における空気調和機の室内機の側面から見た断面図である。
【図１０】実施の形態２における空気調和機の室内機のファン清掃装置の動作説明図である。
【図１１】実施の形態２における空気調和機の室内機のファン清掃部の外観図である。
【図１２】実施の形態２における空気調和機の室内機のファン清掃部と貫流ファンの位置関係を示す外観図である。
【図１３】本発明に基づいた実施の形態３における空気調和機の室内機の側面から見た断面図である。
【図１４】実施の形態３における室内機のファン清掃装置の動作説明図である。
【図１５】実施の形態３における空気調和機の室内機に準ずる他の形態を示した側面から見た断面図である。
【図１６】図１５に示す空気調和機の室内機のファン清掃装置の第１動作説明図である。
【図１７】図１５に示す空気調和機の室内機のファン清掃装置の第２動作説明図である。
【図１８】図１５に示す空気調和機の室内機のファン清掃装置の第３動作説明図である。
【図１９】本発明に基づいた実施の形態４における空気調和機の室内機の側面から見た断面図である。
【図２０】実施の形態４における空気調和機の室内機のファン清掃装置の動作説明図である。
【図２１】実施の形態４における空気調和機の室内機のファン清掃部の外観図である。
【図２２】実施の形態４における空気調和機の室内機のファン清掃部と貫流ファンとの位置関係を示す外観図である。
【図２３】実施の形態４における空気調和機の室外機の構成を示す破断図である。
【図２４】実施の形態４における空気調和機の室内機に準じる他の形態を示した側面から見た断面図である。
【図２５】図２４に示す空気調和機の室内機のファン清掃装置の動作説明図である。
【図２６】本発明に基づいた実施の形態５における空気調和機の室内機の側面から見た断面図である。
【図２７】実施の形態５における室内機のファン清掃装置の制御動作を示すフローチャートである。
【図２８】実施の形態５における空気調和機の室内機のファン清掃装置に準ずる他の制御動作を示すフローチャートである。
【図２９】本発明に基づいた実施の形態６における空気調和機の室内機の側面から見た断面図である。
【図３０】実施の形態６における空気調和機の室内機のファン清掃装置の制御動作を示すフローチャートである。
【図３１】実施の形態６における空気調和機の他の形態を示した側面から見た断面図である。
【図３２】実施の形態６における空気調和機の室内機のファン清掃装置の制御動作を示すフローチャートである。
【図３３】実施の形態６における空気調和機の室内機のさらに他の形態を示した側面から見た断面図である。
【図３４】実施の形態６における空気調和機の室内機のファン清掃装置の制御動作を示すフローチャートである。
【図３５】実施の形態６における空気調和機の室内機のさらに他の実施形態を示した側面から見た断面図である。
【図３６】図３５に示す空気調和機の室内機のファン清掃装置の制御動作を示すフローチャートである。
【図３７】本発明に基づいた実施の形態７における空気調和機の室内機の側面から見た断面図である。
【図３８】実施の形態７における空気調和機の室内機のファン清掃装置の制御動作を示すフローチャートである。
【図３９】実施の形態７における空気調和機の室内機の他の形態を示した側面から見た断面図である。
【図４０】図３９に示す空気調和機の室内機のファン清掃装置の制御動作を示すフローチャートである。
【図４１】実施の形態７における空気調和機の室内機のさらに他の実施形態を示した側面から見た断面図である。
【図４２】図４１に示す空気調和機の室内機のファン清掃装置の制御動作を示すフローチャートである。
【図４３】本発明に基づいた実施の形態８における空気調和機の室内機の側面から見た断面図である。
【図４４】実施の形態８における空気調和機の室内機のファン清掃装置の制御動作を示すフローチャートである。
【図４５】実施の形態８における空気調和機の室内機の他の形態を示した側面から見た断面図である。
【図４６】図４５に示す空気調和機の室内機のファン清掃装置の制御動作を示すフローチャートである。
【図４７】実施の形態８における空気調和機の室内機のさらに他の実施形態を示した側面から見た断面図である。
【図４８】図４７に示す空気調和機の室内機のファン清掃装置の制御動作を示すフローチャートである。
【図４９】実施の形態８の空気調和機の室内機のさらに他の形態を示した側面から見た断面図である。
【図５０】図４９に示す空気調和機の室内機のファン清掃装置の制御動作を示すフローチャートである。
【図５１】実施の形態８の空気調和機の室内機のさらに他の形態を示した側面から見た断面図である。
【図５２】図５１に示す空気調和機の室内機のファン清掃装置の制御動作を示すフローチャートである。
【図５３】実施の形態８における空気調和機の室内機のさらに他の形態を示した側面から見た断面図である。
【図５４】図５３に示す空気調和機の室内機のファン清掃装置の制御動作を示すフローチャートである。
【図５５】本発明に基づいた実施の形態９における空気調和機の室内機の側面から見た断面図である。
【図５６】実施の形態９における空気調和機の室内機の横ルーバの外観図である。
【図５７】本発明に基づいた実施の形態１０における空気調和機の室内機の側面から見た断面図である。
【図５８】実施の形態１０における空気調和機の室内機の開閉部の動作説明図である。
【図５９】本発明に基づいた実施の形態１１における空気調和機の室内機の側面から見た断面図である。
【図６０】実施の形態１１における室内機の集塵箱の着脱時の動作説明図である。
【図６１】実施の形態１１における空気調和機の室内機の外観図である。
【図６２】実施の形態１１における空気調和機の室内機の集塵箱の着脱の様子を示す外観図である。
【図６３】本発明に基づいた実施の形態１２における空気清浄機の側面から見た断面図である。
【図６４】実施の形態１２における空気清浄機の平面断面図である。
【図６５】実施の形態１３における除湿機の側面から見た断面図である。
【図６６】実施の形態１３における除湿機の平面断面図である。
【図６７】本発明に基づいた実施の形態１４における加湿機の側面から見た断面図である。
【図６８】本発明に基づいた実施の形態１５におけるファンヒータの側面から見た断面図である。
【図６９】本発明に基づいた実施の形態１６における床下換気扇の側面から見た断面図である。
【図７０】実施の形態１６における床下換気扇の平面断面図である。
【図７１】実施の形態１７におけるＣＰＵ冷却装置の側面から見た断面図である。
【図７２】実施の形態１７におけるＣＰＵ冷却装置の外観図である。
【図７３】本発明に基づいた実施の形態１８におけるラジエータの側面から見た断面図である。
【図７４】従来の技術における空気調和機の室内機の側面から見た断面図である。
【符号の説明】
【０１９８】
１  室内機、２  ファンケーシング、３  フロントパネル、４  通風路、５  吸込みグリル、６  熱交換器、７  エアフィルタ、８  貫流ファン、８ａ  翼、８ｂ  ディスク、９  ドレンパン、１０  主吹出し口、１１ａ  横ルーバ、１１ｂ  横ルーバ、１２  縦ルーバ、１３  リアガイダ、１４  スタビライザ、１５  室外機、１６  伝熱管、１７  ドレンホース、１８  電源コード、２１  ファン清掃装置、２２  ファン清掃部、２３  清掃用空気圧縮機、２４  圧縮空気通風管、２５ａ  横ルーバフィルタ、２５ｂ  横ルーバフィルタ、２６  開閉部、２７  塵埃吹出し口、２８  集塵箱、３１  運転時間積算手段、３２  警告手段、３３  検知手段、３４  運転モード変更手段、３５  告知手段、３６
タイマ装置、３７  ＬＥＤ表示部、３８  アンバランス量計測装置、３９  重量計、５１  空気清浄機、５２  清掃機ケーシング、５３  エアフィルタ、５４  前面カバー、５５  吸込みグリル、５６  主吹出し口、５７  シロッコファン、５８  ファン駆動モータ、５９  スクロールケーシング、６１  除湿機、６２  除湿機ケーシング、６３  シロッコファン、６４  ファン駆動モータ、６５  スクロールケーシング、６６  圧縮機、６７
吸込み口、６８  蒸発機、６９  ドレンパン、７０  ドレン貯留タンク、７１  凝縮機、７２  主吹出し口、８１  加湿機、８２  加湿機ケーシング、８３  蒸発皿、８４  加熱体、８５  タンク水受け部、８６  ゴムホース、８７  給水タンク、８８  蒸気案内筒、８９  蒸気放出口、９０  貫流ファン、９１  ファンケーシング、９２  冷却風取入れ口、１０１  ファンヒータ、１０２  ファンヒータケーシング、１０３  燃焼室、１０４
軸流ファン、１０５  ファン駆動モータ、１０６  ファンケーシング、１０７  送風ダクト、１０８  ルーバ、１０９  バーナ、１１０  主吹出し口、１１１  床下換気扇、１１２  換気扇ケーシング、１１３  シロッコファン、１１４  スクロールケーシング、１１５  ファン駆動モータ、１１６  床下換気口、１１７  吸込み口、１１８  内面、１１９  通風空間、１２０  換気扇主吹出し口、１２１  床下内、１３１  ＣＰＵ冷却装置、１３２  空気吸込み口、１３３  蓋、１３４  底板、１３５  軸流ファン、１３６  ファン駆動モータ、１３７  突起状のヒートシンク、１３８  送風用空間、１３９  ＣＰＵ、１４１  ラジエータ、１４２  コア、１４３  タンク、１４４  ファンシュラウド、１４５  軸流ファン。
【図１】
2007071210.tif 000003
【図２】
2007071210.tif 000004
【図３】
2007071210.tif 000005
【図４】
2007071210.tif 000006
【図５】
2007071210.tif 000007
【図６】
2007071210.tif 000008
【図７】
2007071210.tif 000009
【図８】
2007071210.tif 000010
【図９】
2007071210.tif 000011
【図１０】
2007071210.tif 000012
【図１１】
2007071210.tif 000013
【図１２】
2007071210.tif 000014
【図１３】
2007071210.tif 000015
【図１４】
2007071210.tif 000016
【図１５】
2007071210.tif 000017
【図１６】
2007071210.tif 000018
【図１７】
2007071210.tif 000019
【図１８】
2007071210.tif 000020
【図１９】
2007071210.tif 000021
【図２０】
2007071210.tif 000022
【図２１】
2007071210.tif 000023
【図２２】
2007071210.tif 000024
【図２３】
2007071210.tif 000025
【図２４】
2007071210.tif 000026
【図２５】
2007071210.tif 000027
【図２６】
2007071210.tif 000028
【図２７】
2007071210.tif 000029
【図２８】
2007071210.tif 000030
【図２９】
2007071210.tif 000031
【図３０】
2007071210.tif 000032
【図３１】
2007071210.tif 000033
【図３２】
2007071210.tif 000034
【図３３】
2007071210.tif 000035
【図３４】
2007071210.tif 000036
【図３５】
2007071210.tif 000037
【図３６】
2007071210.tif 000038
【図３７】
2007071210.tif 000039
【図３８】
2007071210.tif 000040
【図３９】
2007071210.tif 000041
【図４０】
2007071210.tif 000042
【図４１】
2007071210.tif 000043
【図４２】
2007071210.tif 000044
【図４３】
2007071210.tif 000045
【図４４】
2007071210.tif 000046
【図４５】
2007071210.tif 000047
【図４６】
2007071210.tif 000048
【図４７】
2007071210.tif 000049
【図４８】
2007071210.tif 000050
【図４９】
2007071210.tif 000051
【図５０】
2007071210.tif 000052
【図５１】
2007071210.tif 000053
【図５２】
2007071210.tif 000054
【図５３】
2007071210.tif 000055
【図５４】
2007071210.tif 000056
【図５５】
2007071210.tif 000057
【図５６】
2007071210.tif 000058
【図５７】
2007071210.tif 000059
【図５８】
2007071210.tif 000060
【図５９】
2007071210.tif 000061
【図６０】
2007071210.tif 000062
【図６１】
2007071210.tif 000063
【図６２】
2007071210.tif 000064
【図６３】
2007071210.tif 000065
【図６４】
2007071210.tif 000066
【図６５】
2007071210.tif 000067
【図６６】
2007071210.tif 000068
【図６７】
2007071210.tif 000069
【図６８】
2007071210.tif 000070
【図６９】
2007071210.tif 000071
【図７０】
2007071210.tif 000072
【図７１】
2007071210.tif 000073
【図７２】
2007071210.tif 000074
【図７３】
2007071210.tif 000075
【図７４】
2007071210.tif 000076